(57)【要約】布地処理組成物で布地を処理するプロセスであって、前記組成物が、自動洗濯機のディスペンサー引き出しなどの受容容器に提供され、組成物は、布地コンディショニング活性物質（ＦＣＡ）を含み、組成物は、容器、例えば加圧容器から泡として分配され得る。加圧容器内の組成物を含む、関連する組成物。関連する用途は、例えば、布地にしわ防止効果を提供するためのものである。
2021526189.tif 000002
【特許請求の範囲】
【請求項１】
布地処理組成物で布地を処理するプロセスであって、
ａ．布地処理製品を提供する工程であって、前記製品が、容器に収容された布地処理組成物を含み、
前記布地処理組成物が、布地コンディショニング活性物質（ＦＣＡ）を含む、工程と、
ｂ．前記容器から前記布地処理組成物を泡として分配する工程であって、
前記泡が受容容器に提供され、
前記受容容器が、１０ｍＬ〜５００ｍＬ、好ましくは２５ｍＬ〜３５０ｍＬ、より好ましくは５０ｍＬ〜１５０ｍＬの受容容積を含む、工程と、
ｃ．前記布地処理組成物を自動洗濯機のドラムに提供する工程と、
ｄ．前記布地処理組成物を水と組み合わせて処理液を形成する工程と、
ｅ．前記自動洗濯機のドラム内の布地を前記処理液と接触させる工程と、を含む、プロセス。
【請求項２】
泡としての前記組成物が、前記容器からの分配直後に決定される、０．０５〜０．５ｇ／ｍＬ、又は０．１〜０．４ｇ／ｍＬ、又は０．１〜０．３ｇ／ｍＬ、又は０．２〜０．３ｇ／ｍＬの密度を有する、請求項１に記載のプロセス。
【請求項３】
前記組成物が、分配された１０分後に０．６ｇ／ｍＬ〜１．１ｇ／ｍＬの密度を有する、請求項１又は２に記載のプロセス。
【請求項４】
泡としての前記組成物が、前記組成物が前記容器から分配された直後に決定される、泡１ｍＬ当たり０．０１〜０．５ｇのＦＣＡ、又は０．０２〜０．１ｇのＦＣＡ、又は０．０３〜０．０６ｇのＦＣＡを含む、請求項１〜３のいずれか一項に記載のプロセス。
【請求項５】
前記受容容器に提供される前記組成物が、０．５ｇ〜２０ｇ、又は１ｇ〜１０ｇ、又は２ｇ〜８ｇ、又は３ｇ〜６ｇのＦＣＡを前記受容容器に提供する、請求項１〜４のいずれか一項に記載のプロセス。
【請求項６】
前記受容容器が、前記自動洗濯機の一部であり、好ましくは前記受容容器がディスペンサー引き出しであるか、又はトップローディング機のセンターポスト上に位置する、請求項１〜５のいずれか一項に記載のプロセス。
【請求項７】
前記容器が、手動で作動されるポンプを含むか、又は加圧容器であり、好ましくは前記容器が加圧容器である、請求項１〜６のいずれか一項に記載のプロセス。
【請求項８】
前記布地処理組成物が、１ｇ／秒、又は２ｇ／秒、又は３ｇ／秒、又は４ｇ／秒、又は５ｇ／秒、から、３５ｇ／秒、又は３０ｇ／秒、又は２５ｇ／秒、又は２０ｇ／秒、又は１５ｇ／秒、又は１２ｇ／秒、又は１０ｇ／秒、又は８ｇ／秒、又は６ｇ／秒、までの間の流量で前記容器から分配される、請求項１〜７のいずれか一項に記載のプロセス。
【請求項９】
前記布地処理組成物が、１秒〜１０秒、好ましくは２秒〜６秒の期間、前記容器から分配される、請求項１〜８のいずれか一項に記載のプロセス。
【請求項１０】
布地処理組成物が、前記容器内にあるときに噴射剤を更に含み、好ましくは噴射剤は、炭化水素、ハイドロフルオロカーボン（ＨＦＣ）、ハイドロフルオロオレフィン（ＨＦＯ）、窒素、二酸化炭素、圧縮空気、又はこれらの組み合わせから選択され、より好ましくはＨＦＣ、ＨＦＯ、又はこれらの組み合わせ、更により好ましくはＨＦＯ、更により好ましくは１，３，３，３−テトラフルオロプロペンを含むＨＦＯを含む、請求項１〜９のいずれか一項に記載のプロセス。
【請求項１１】
前記布地処理組成物が、前記容器中にあるとき、前記布地処理組成物の１重量％〜１２重量％、又は１．５重量％〜６重量％、又は２重量％〜４重量％の噴射剤を含む、請求項１〜１０のいずれか一項に記載のプロセス。
【請求項１２】
前記泡の初期体積が、分配後１０分以内に少なくとも５０％減少する、請求項１〜１１のいずれか一項に記載のプロセス。
【請求項１３】
前記自動洗濯機のドラムに前記処理組成物を提供する工程が、前記処理組成物を前記受容容器内の水で希釈することを含む、請求項１〜１２のいずれか一項に記載のプロセス。
【請求項１４】
布地処理組成物であって、
前記布地処理組成物が布地コンディショニング活性物質（ＦＣＡ）を含み、
前記組成物がカプセル化香料を更に含み、
前記布地処理組成物が加圧容器内に収容されている、布地処理組成物。
【請求項１５】
布地処理組成物であって、
前記布地処理組成物が布地コンディショニング活性物質（ＦＣＡ）を含み、
前記布地処理組成物が加圧容器内に収容されており、
前記布地処理組成物が、
前記容器からの分配直後に決定される、約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの第１の密度と、
分配された１０分後に決定される、約０．６ｇ／ｍＬ〜約１．１ｇ／ｍＬの第２の密度と、によって特徴づけられる、布地処理組成物。
【請求項１６】
前記ＦＣＡが、第四級アンモニウムエステル化合物、シリコーン、非エステル第四級アンモニウム化合物、アミン、脂肪酸エステル、スクロースエステル、シリコーン、分散性ポリオレフィン、多糖類、脂肪酸、軟化若しくはコンディショニング油、ポリマーラテックス、又はこれらの組み合わせ、好ましくは第四級アンモニウムエステル化合物、シリコーン、又はこれらの組み合わせからなる群から選択される、請求項１４又は１５に記載の布地処理組成物。
【請求項１７】
前記布地処理組成物が、香料、好ましくは純香料、乳化香料、カプセル化香料、又はこれらの組み合わせを更に含む、請求項１４〜１６のいずれか一項に記載の布地処理組成物。
【請求項１８】
前記組成物が、アニオン性界面活性剤を実質的に含まない、請求項１４〜１７のいずれか一項に記載の布地処理組成物。
【請求項１９】
請求項１４〜１８のいずれか一項に記載の布地処理組成物の使用であって、前記組成物が、水と前記布地処理組成物とを含む処理液で布地を処理したときに、前記布地にしわ防止効果を提供する、使用。
【発明の詳細な説明】
【技術分野】
【０００１】
本開示は、布地処理組成物で布地を処理するプロセスに関する。組成物は、自動洗濯機のディスペンサー引き出しなどの受容容器に提供されてもよい。組成物は、布地コンディショニング活性物質（fabric conditioning active：ＦＣＡ）を含んでもよく、組成物は、容器、例えば加圧容器から分配されてもよく、あるいは泡として提供されてもよい。本開示はまた、加圧容器内の組成物、及び関連する用途を含む、関連する組成物にも関する。
【背景技術】
【０００２】
多くの最新の自動洗濯機は、処理組成物を受容するように設計された１つ以上の区画又は引き出しを含む。前世代の消費者は、処理組成物を洗濯機の主ドラムの中に直接注ぐ必要があったが、今日の消費者は、組成物をディスペンサー引き出しなどの特定の受容容器に注ぐことができ、組成物は、選択された処理サイクルに従って、適切な時間に自動的に分配され得る。このような受容容器は、典型的には洗浄サイクルの次に来るすすぎサイクル中に添加されることを意図した組成物に特に有用であり、それにより、消費者は、すすぎサイクルを開始するために洗濯機付近で待機する必要なく、必要な組成物（洗剤、布地向上剤など）の全てを同時に加えることができる。
【０００３】
典型的には、このような受容容器、例えばディスペンサー引き出しは、組成物が、適切な時間に引き出しからドラム内に流れ得るようにするために、液体処理組成物の使用を必要とする。しかしながら、液体は不便であり、及び／又は分配するのに厄介であり得る。例えば、このような液体は、洗濯機、ユーザの手、又は組成物の容器上にこぼれるか又は滴り落ちる場合がある。更に、通常、このような液体を使用するには、液体の容器から投与キャップへの注入と、投与キャップから引き出しへの注入との２回の注入が必要であり、これにより、こぼれが発生する可能性が高くなる。
【０００４】
小袋の形態、例えば、水溶性フィルムに封入された組成物の形態であり得る一体型用量物品は、一般に便利であり、使用するのに厄介ではないが、これらは典型的には、溶解及び／又は放出困難であることにより、ディスペンサー引き出しでの使用には好適ではない。
【０００５】
加えて、このようなディスペンサー引き出しは、限られた容積を有しているため、そのような引き出しと組み合わせて使用される任意の組成物は、所望の処理効果を提供するためには、利用可能な限られた空間を考慮して、十分な濃度の活性成分を提供することができなければならない。上記のように、布地コンディショニング活性物質の活性レベルが増加した組成物は、物理的に不安定であり、相分離し得る。このような組成物は、洗濯機のドラムに効率的に分配することも困難であり得る。
【０００６】
更に、特定の処理泡又はコンディショニング泡を布地に直接適用することが知られている。しかしながら、これらの泡の有益剤は、洗浄サイクル中、特に界面活性剤を含む洗剤の存在下で、標的布地に付着する代わりに洗浄サイクル中に洗い流され得る。加えて、シリコーンを含み得るこのような泡の直接的な適用は、直接適用される布地に疎水性活性物質が付着し得るため、洗浄水中の分布が不十分になったり、及び／又は布地上に望ましくない斑点ができたりする場合がある。
【０００７】
最後に、洗濯を行うことは、多くの場合毎日又は毎週の家事であるため、洗濯体験をより楽しめることが望ましい。
【発明の概要】
【発明が解決しようとする課題】
【０００８】
特に自動洗濯機のディスペンサー引き出しなどの受容容器と組み合わせて使用するのに便利かつ／又は楽しみのある布地処理組成物が必要とされており、その一方で、所望の処理効果を依然として提供することが求められている。
【課題を解決するための手段】
【０００９】
本開示は、布地コンディショニング活性物質（ＦＣＡ）を含む布地処理組成物で布地を処理するプロセスに関する。
【００１０】
例えば、本開示は、布地処理組成物で布地を処理するプロセスに関し、このプロセスは、（ａ）布地処理製品を提供する工程であって、製品が容器に収容された布地処理組成物を含み、布地処理組成物が布地コンディショニング活性物質（ＦＣＡ）を含む、工程と、（ｂ）容器から布地処理組成物を泡として分配する工程であって、泡が受容容器に提供され、受容容器が、約１０ｍＬ〜約５００ｍＬ、好ましくは約２５ｍＬ〜約３５０ｍＬ、より好ましくは約５０ｍＬ〜約１５０ｍＬの受容容積を含む、工程と、（ｃ）布地処理組成物を自動洗濯機のドラムに提供する工程と、（ｄ）布地処理組成物を水と組み合わせて処理液を形成する工程と、（ｅ）自動洗濯機のドラム内の布地を処理液と接触させる工程と、を含む。
【００１１】
本開示はまた、布地コンディショニング活性物質（ＦＣＡ）を含む布地処理組成物に関する。例えば、本開示は、布地処理組成物に関し、組成物は、布地コンディショニング活性物質（ＦＣＡ）を含み、組成物は容器内に収容され、容器から分配された直後に、組成物は、約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの密度を有する泡の形態である。
【００１２】
本開示はまた、布地処理組成物に関し、布地処理組成物は布地コンディショニング活性物質（ＦＣＡ）を含み、組成物はカプセル化香料を更に含み、布地処理組成物は加圧容器内に収容されている。
【００１３】
本開示はまた、布地処理組成物に関し、布地処理組成物は、布地コンディショニング活性物質（ＦＣＡ）を含み、組成物は、ハイドロフルオロオレフィン噴射剤を更に含み、布地処理組成物は加圧容器内に収容されている。
【００１４】
本開示はまた、布地処理組成物に関し、布地処理組成物は布地コンディショニング活性物質（ＦＣＡ）を含み、布地処理組成物は加圧容器内に収容されており、布地処理組成物は、容器からの分配直後に決定される約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの第１の密度、及び分配された１０分後に決定される約０．６ｇ／ｍＬ〜約１．１ｇ／ｍＬの第２の密度と、によって特徴付けられる。
【００１５】
本開示は更に、布地処理組成物の使用に関し、組成物は、布地が水及び布地処理組成物を含む処理液で処理されるとき、好ましくは組成物が容器から泡として分配されるときに、しわ防止効果及び／又はしわ低減効果を布地に提供する。
【図面の簡単な説明】
【００１６】
本明細書の図面は、事実上例示的なものであり、限定的であることを意図したものではない。
【図１】上部投入式自動洗濯機の概略図を示す。
【図２】前面投入式自動洗濯機の概略図を示す。
【図３】供給装置を示す。
【図４】最初に分配された２つの泡組成物の写真を示す。
【図５】約１０分後の同じ組成物の写真を示す。
【発明を実施するための形態】
【００１７】
本開示は、自動洗濯機において布地処理組成物で布地を処理する方法、並びに関連する処理組成物及び製品に関する。本方法は、最初に、自動洗濯機のディスペンサー引き出しなどのより小さい受容容器に布地処理組成物を提供し、次いで、布地が処理される洗濯機のより大きなドラムに布地処理組成物を提供することに関する。
【００１８】
典型的な処理方法は、液体をディスペンサー引き出し又は他の好適な受容容器に注ぐことを含むが、本開示は、処理組成物を噴霧すること、及び／又は泡として供給することに関する。このような形態で処理組成物を提供することは、厄介なこぼれを低減するのに役立ち得ると考えられる。例えば、エアゾール缶のような、トリガ噴霧器又は加圧容器であり得る容器は、受容容器の受容容積に密接かつ直接向けられ得る。泡は、液体組成物よりも粘稠である傾向があり、飛び散る又は滴り落ちる可能性が低い。更に、このような噴霧可能な／発泡可能な組成物は、容器を片手で操作でき、１つの分配工程（容器から投与カップから洗濯機へではなく、容器から受容容器へ）のみで操作できるという点で、従来の液体製品よりも便利である。追加的に又は代替的に、加圧／エアゾールボトル内にそのような組成物を提供することにより、比較的高濃度の疎水性活性物質を有する液体組成物に関連する相分離の課題を軽減することができる。
【００１９】
本開示の方法、製品、及び組成物は、所望の処置効果を与えるために、好適な量の組成物及び／又は活性成分が、受容容器（例えば、ディスペンサー引き出し）の限られた容積に提供されるように選択されてもよい。本開示の方法、製品、及び組成物はまた、好適な期間、例えば、消費者の使用に便利な期間及び／又は流量でそのような量を提供するように選択されてもよい。
【００２０】
方法、組成物、及び製品については、以下でより詳細に説明される。
【００２１】
本明細書で使用する場合、特許請求の範囲で使用される際の冠詞「ａ」及び「ａｎ」は、特許請求又は記載されているもののうちの１つ以上を意味すると理解される。本明細書で使用する場合、用語「含む（include）」、「含む（includes）」、及び「含んでいる（including）」は、非限定的であることを意味する。本開示の組成物は、本開示の成分を含むか、それらから本質的になるか、又はそれらからなることができる。
【００２２】
本明細書では、「実質的に含まない（substantially free of）」又は「実質的に含まない（substantially free from）」という用語が使用されてもよい。これは、指示される材料が最小限の量であり、組成物の一部を形成するように意図的にその組成物に添加されたものでないこと、又は好ましくは、分析的に検出可能な濃度で存在しないことを意味する。それは、指示される材料が意図的に含まれる他の材料のうちの１つの中に不純物としてのみ存在する組成物を含むことを意味する。指示される材料は、あったとしても、組成物の１重量％未満、又は０．１重量％未満、又は０．０１重量％未満、又は更には０重量％の濃度で存在してもよい。
【００２３】
本明細書で使用する場合、語句「布地処理組成物」は、布地処理用に設計された組成物及び配合物を含む。
【００２４】
別途記載のない限り、全ての構成成分又は組成物の濃度は、当該構成成分又は組成物の活性部分に関するものであり、かかる構成成分又は組成物の市販の供給源に存在し得る不純物、例えば残留溶媒又は副生成物は除外される。
【００２５】
本明細書における全ての温度は、別途記載のない限り、摂氏（℃）である。別途指示のない限り、本明細書における全ての測定は、２０℃及び大気圧下で行われる。
【００２６】
本開示の全ての実施形態において、全ての比率（％）は、特に記載のない限り、全組成物の重量に対するものである。特に記載のない限り、全ての比は重量比である。
【００２７】
本明細書の全体を通して与えられる全ての最大数値限定は、それよりも小さい全ての数値限定を、かかるより小さい数値限定があたかも本明細書に明確に記載されているかのように含むものと理解すべきである。本明細書の全体を通して与えられる全ての最小数値限定は、それよりも高い全ての数値限定を、かかるより高い数値限定があたかも本明細書に明確に記載されているかのように含む。本明細書の全体を通して与えられる全ての数値範囲は、かかるより広い数値範囲内に含まれるより狭い全ての数値範囲を、かかるより狭い数値範囲があたかも全て本明細書に明確に記載されているかのように含む。
【００２８】
布地を処理するためのプロセス
本開示は、布地処理組成物で布地を処理するためのプロセスに関する。プロセスは、布地処理製品を提供することを含み得る。布地処理製品は、弁などの分配手段を含み得る容器内に入れられた布地処理組成物を含み得る。布地処理組成物は、布地コンディショニング活性物質（ＦＣＡ）を含み得る。このような製品、組成物、容器、及び剤は、以下により詳細に記載される。
【００２９】
プロセスは、布地処理組成物を受容容器に提供する工程を含んでもよく、布地処理組成物は、泡として受容容器に提供されてもよい。プロセスは、容器から受容容器に布地処理組成物を分配する工程を含んでもよい。布地処理組成物は、容器から泡として分配されてもよい。プロセスは、容器を振盪又は別の方法で撹拌することを含んでもよく、これにより、収容された組成物を混合すること、及び／又は容器内部で生じ得る任意の相分離を解決することを助け得る。
【００３０】
プロセスは、布地処理組成物を受容容器に提供する工程を含んでもよく、布地処理組成物は、例えば泡として、約０．０５〜約０．５ｇ／ｍＬ、又は約０．１〜約０．４ｇ／ｍＬ、又は約０．２〜約０．３ｇ／ｍＬ、又は約０．２５ｇ／ｍＬの密度で提供される。プロセスは、布地処理組成物を受容容器に提供する工程を含んでもよく、布地処理組成物は、例えば泡として、組成物１ｍＬ当たり約０．０１〜約０．５ｇのＦＣＡ、又は約０．０２〜約０．１ｇのＦＣＡ、又は約０．０３〜約０．０６ｇのＦＣＡのＦＣＡ密度で提供される。
【００３１】
受容容器は、自動洗濯機の一部であってもよい。受容容器は、自動洗濯機の主ドラムとは別個であってもよく、主ドラムは、典型的には処理サイクル中に布地が存在する場所である。受容容器は、自動洗濯機に選択的に挿入可能及び／又は取り外し可能であってもよい。
【００３２】
図１は、上部投入式自動洗濯機１０の概略図を示す。洗濯機は、センターポスト撹拌器１１を含む。撹拌器１１は、典型的には撹拌器１１の上部のカップ１３又は円錐部の形態の受容容器１２を備えている。布地処理組成物１４は、ボトル１５から受容容器１２に分配され得る。上部投入式自動洗濯機１０の処理サイクル中、例えばすすぎサイクル中に、受容容器１２から自動洗濯機１０のドラム１６内に組成物１４が流れてもよく（矢印で示すように）、ドラム１６内では組成物１４が水に希釈され、かつ／又は水に溶解されて処理液２５が形成され得る。
【００３３】
図２は、前面投入式自動洗濯機２０の概略図を示す。洗濯機は、ディスペンサー引き出し２１の形態の受容容器１２を含む。布地処理組成物１４は、ボトル２２から受容容器１２に分配され得る。前面投入式自動洗濯機２０の処理サイクル中、例えばすすぎサイクル中に、自動洗濯機２０の受容容器１２からチャネル２３を通ってドラム２４内に組成物１４が流れ得る。布地処理組成物１４は、水に希釈され、及び／又は水に溶解されて、ドラム内に処理液２５を形成してもよく、ドラム内で処理液２５が布地２６と接触し得る。
【００３４】
図３は、取り外し可能に挿入可能な送達装置３０の形態の受容容器１２の図を示す。布地処理組成物１４は、送達装置３０の受容容積３１に提供されてもよい。送達装置３０は、例えばプラグの形態のクロージャ３２を含んでもよい。送達装置３０は、自動洗濯機１０、２０、のドラム１６、２４内に配置されてもよく、組成物１４は、送達装置３０から流出し、水と混合して処理液２５を形成し得る。好適な送達装置としては、Ｐｒｏｃｔｅｒ＆Ｇａｍｂｌｅ社によって製造又はライセンスされたような、ダウンボール（登録商標）を含んでもよい。
【００３５】
受容容器は、容器、例えば、布地処理組成物の容器にとってキャップ又はクロージャであってもよい。キャップ又はクロージャは、自動洗濯機１０、２０のドラム１６、２４に提供されてもよい。
【００３６】
受容容器は、約１０ｍＬ、又は約２５ｍＬ、又は約５０ｍＬ、から、約５００ｍＬ、又は約３５０ｍＬ、又は約２５０ｍＬ、又は約２００ｍＬ、又は約１５０ｍＬ、又は約１２５ｍＬ、又は約１００ｍＬ、までの受容容積を含み得る。１０ｍＬ〜約５００ｍＬ、好ましくは約２５ｍＬ〜約３５０ｍＬ、より好ましくは約５０ｍＬ〜約１５０ｍＬである。
【００３７】
プロセスは、約５ｇ、又は約１０ｇ、又は約１５ｇ、又は約１８ｇ、から、約５０ｇ、又は約４０ｇ、又は約３０ｇ、又は約２５ｇ、又は約２２ｇ、までの布地処理組成物を受容容器に提供する工程を含んでもよい。
【００３８】
布地処理組成物は、約１ｇ／秒、又は約２ｇ／秒、又は約３ｇ／秒、又は約４ｇ／秒、又は約５ｇ／秒、から、約３５ｇ／秒、又は約３０ｇ／秒、又は約２５ｇ／秒、又は約２０ｇ／秒、又は約１５ｇ／秒、又は約１２ｇ／秒、又は約１０ｇ／秒、又は約８ｇ／秒、又は約６ｇ／秒、までの流量で容器から分配されてもよい。約２〜約６秒、好ましくは約３〜約５秒にわたって約２０ｇの組成物を送達する流量を選択することが好ましい場合がある。布地組成物は、約１秒〜約１０秒、好ましくは約２秒〜約６秒、より好ましくは約３秒〜約５秒の期間、容器から分配されてもよい。組成物は、約２ｍＬ／秒〜約５０ｍＬ／秒、又は約５ｍＬ／秒〜約４０ｍＬ／秒、又は約１０ｍＬ／秒〜約２０ｍＬ／秒の流量を有し得る。
【００３９】
より遅い流量及び／又はより短い期間は、好適な量の活性物質が受容容器に送達される前に、ユーザが分配プロセスを妨げかつ停止することにつながり得る。より多くの流量及び又はより短い期間により、分配プロセスを制御する際に、飛散、受容容器の準最適な充填（例えば、アンダーフロー又はオーバーフロー）をもたらし得る。
【００４０】
布地処理組成物は、容器からの分配直後に、０．０５〜約０．５ｇ／ｍＬ、又は約０．１〜約０．４ｇ／ｍＬ、又は約０．２〜約０．３ｇ／ｍＬ、又は約０．２５ｇ／ｍＬの密度を有し得る泡の形態であってもよい。より高い密度は、液体と同様に、こぼれる又は飛び散る可能性が高くなり得る。より小さい密度を有する泡は、受容容器の限られた体積を考慮すると、好適な量の活性成分を提供しない場合がある。
【００４１】
布地処理組成物が泡として分配されると、泡は、泡からガスが失われると経時的に「崩壊」し得る。そのような崩壊により、体積は減少してもよく、及び／又は密度は増加し得る。このような泡の崩壊は、組成物が、分配されるときに望ましい体積及び／又は密度を有している可能性があり、その結果、飛散及びこぼれが最小化され、かつ／又は泡によって供給される有効成分の量が、受容容器のサイズを考慮すると適切であるため、本方法において望ましい場合がある。しかしながら、崩壊すると、組成物はより流動性を有する可能性があり、より効率的に洗濯機のドラムに提供され得、及び／又はより容易に希釈可能であり得る。
【００４２】
例えば、泡の体積は、分配された後、１０分以内、又は５分以内に少なくとも約５０％減少し得る。泡の密度は、分配された後、１０分以内、又は５分以内に、少なくとも約５０％増加し得る。布地処理組成物は、最初に分配されたときの約０．０５〜約０．５ｇ／ｍＬの第１の密度と、分配後約１０分、又は約５分の約０．６ｇ／ｍＬ〜約１．１ｇ／ｍＬの第２の密度とを有し得る。好ましくは、泡は、例えば、好ましくは分配後１０分以内に、より好ましくは分配後５分以内に、ほぼ水のような濃度、又は少なくとも、約０．８５ｇ／ｍＬ〜約１．０ｇ／ｍＬの密度を有する従来の液体布地向上製品の濃度に崩壊する。
【００４３】
布地処理組成物は、最初に分配されたときの第１の粘度と、分配された１０分後の第２の粘度とを有してもよい。第２の粘度は、典型的には、第１の粘度よりも低い。そのような経時的な粘度プロファイルは、組成物が最初に受容容器内に分配されたときに比較的濃い場合があり、したがって、比較的飛散しにくいため好ましい場合がある。しかしながら、第１の粘度よりも低い第２の粘度は、組成物が、最初に分配されたときよりも比較的流動性が高いことを示し、これは、自動洗濯機のドラムに受容容器から分配しやすくなり、かつ／又は分散若しくは溶解して処理液を形成することを意味する。第１の粘度は、約２５０〜約２０，０００ｃｐｓ、好ましくは約２５０〜約１０００ｃｐｓ、より好ましくは約２５０〜約５００ｃｐｓであってもよい。第２の粘度は、約５０ｃｐｓ〜約２５０ｃｐｓであってもよい。泡の粘度は、Ｂｒｏｏｋｆｉｅｌｄ  ｂｏｂ−ｉｎ−ｃｕｐレオメータを使用して約２２℃で測定される。
【００４４】
布地処理組成物は、容器からの分配直後に、泡の形態であり得る組成物１ｍＬ当たり約０．０１〜約０．５ｇのＦＣＡ、又は約０．０２〜約０．１ｇのＦＣＡ、又は約０．０３〜約０．０６ｇのＦＣＡを含んでもよい。
【００４５】
組成物が受容容器に提供されるとき、受容容器に提供されるＦＣＡの量は、約０．５ｇ〜約２０ｇ、又は約１ｇ〜約１０ｇ、又は約２ｇ〜約８ｇ、又は約３ｇ〜約６ｇであってよい。洗濯機のドラムに十分な量が提供されて、標的布地を処理するために、十分な量のＦＣＡを受容容器に提供することが望ましい。
【００４６】
プロセスは、自動洗濯機のドラムに布地処理製品を供給する工程を含んでもよい。布地処理製品は、ディスペンサー引き出しなどの受容容器からドラムに供給されてもよい。受容容器に水が供給されてもよい。処理組成物は、受容容器内の水と化学結合するか、又は水で希釈されてもよい。受容容器に水を供給し、及び／又は処理組成物を希釈することにより、ドラムへの処理組成物の輸送を容易にすることができる。
【００４７】
プロセスは、布地処理組成物を水と化学結合させて処理液を形成する工程を含んでもよい。水は、受容容器に、ドラムに、又はその両方に供給されてもよい。処理液は、約５Ｌ〜約１００Ｌ、約１０Ｌ〜約８０Ｌ、又は約２０Ｌ〜約７０Ｌの体積を有し得る。当業者に既知であるように、処理液の体積は、使用される機械（例えば、従来の上部投入式機、又は前面投入式機）によって、及び／又は地理的に変化し得る。処理液は、約１０〜約５００ｐｐｍ、又は約２０〜約３００ｐｐｍ、又は約３０〜約２００ｐｐｍ、又は約５０〜約１５０ｐｐｍのＦＣＡを含んでもよい。処理液は、約５Ｌ〜約１００Ｌ、又は約１０Ｌ〜約８０Ｌ、又は約２０Ｌ〜約７０Ｌの水で約１０〜約４０グラムの布地処理組成物を希釈することによって形成され得る。
【００４８】
プロセスは、自動洗濯機のドラム内に配置された布地を処理液と接触させる工程を含んでもよい。プロセスは、布地及び／又は処理液を機械的に撹拌する工程を含んでもよい。処理液はドラムから排出されてもよい。
【００４９】
処理液と布地を接触させる工程は、処理サイクルのすすぎサイクル中に生じ得る。処理サイクルは、すすぎサイクルの前に生じ得る洗浄サイクルを更に含んでもよい。洗浄サイクルは、布地を、アニオン性界面活性剤及び他の洗剤補助剤を含み得る洗剤組成物又はそのような組成物を含む洗浄液と接触させる工程を含んでもよい。洗浄液は、すすぎサイクルの開始前にドラムから排出されてもよい。洗浄液は、約２０〜約５００ｐｐｍのアニオン性界面活性剤を含み得る。
【００５０】
処理サイクルは、２回以上のすすぎサイクル、例えば２回又は３回のすすぎサイクルを含んでもよい。
【００５１】
布地処理組成物
本開示は、布地処理組成物に関する。布地処理組成物は、以下により詳細に記載されるように、布地コンディショニング活性物質（ＦＣＡ）を含んでもよい。このような剤を含む組成物は、柔軟性、しわ防止、静電気防止、コンディショニング、抗伸張、色及び／又は外観効果を含む、様々な利益を標的布地に提供するために有用である。本開示による組成物は、柔軟性及び／又はしわ防止効果を提供するのに特に有用であり得る。組成物は、リンス添加組成物として使用することを意図してもよい。
【００５２】
布地処理組成物は、布地コンディショニング活性物質（ＦＣＡ）を含み得る。布地処理組成物は、水、付着助剤、構造化剤、非イオン性界面活性剤、香料、又はこれらの組み合わせなどの担体を更に含んでもよい。布地処理組成物がエアゾールなどの加圧容器に収容される場合、組成物は、以下により詳細に記載されるように、噴射剤を更に含んでもよい。
【００５３】
布地コンディショニング剤（ＦＣＡ）
本開示の布地処理組成物は、組成物の約１重量％〜約１００重量％の濃度で存在するＦＣＡを含んでもよい。布地処理組成物は、洗剤組成物の約１重量％、又は約２重量％、又は約３重量％、から、約１００重量％、又は約７５重量％、又は約５０重量％、又は約４０重量％、又は約３０重量％、又は約２５重量％、又は約２０重量％、又は約１５重量％、又は約１０重量％、までのＦＣＡ組成物を含み得る。布地処理組成物は、組成物の約５重量％〜約３０重量％のＦＣＡを含み得る。
【００５４】
本開示の組成物に好適な布地コンディショニング活性物質（ＦＣＡｓ）としては、第四級アンモニウムエステル化合物、シリコーン、非エステル第四級アンモニウム化合物、アミン、脂肪酸エステル、ショ糖エステル、シリコーン、分散性ポリオレフィン、多糖類、脂肪酸、軟化若しくはコンディショニング油、ポリマーラテックス、又はこれらの組み合わせを挙げることができる。
【００５５】
組成物は、第四級アンモニウムエステル化合物、シリコーン、又はこれらの組み合わせ、好ましくは組み合わせを含んでもよい。第四級アンモニウムエステル化合物及びシリコーンの合計総量は、組成物の約５重量％〜約７０重量％、又は約６重量％〜約５０重量％、又は約７重量％〜約４０重量％、又は約１０重量％〜約３０重量％、又は約１５重量％〜約２５重量％であってもよい。組成物は、約１：１０〜約１０：１、又は約１：５〜約５：１、又は約１：３〜約１：３、又は約１：２〜約２：１、又は約１：１．５〜約１．５：１、又は約１：１の重量比で第四級アンモニウムエステル化合物及びシリコーンを含んでもよい。
【００５６】
組成物は、異なる種類のＦＣＡの混合物を含有してもよい。本開示の組成物は、特定のＦＣＡを含有してもよいが、他のものを含まなくてもよい。例えば、組成物は、第四級アンモニウムエステル化合物、シリコーン、又はその両方を含まなくてもよい。組成物は、第四級アンモニウムエステル化合物を含んで、シリコーンを実質的に含まなくてもよい。組成物はシリコーンを含んで、第四級アンモニウムエステル化合物を実質的に含まなくてもよい。
【００５７】
ＦＣＡについては、以下でより詳細に説明する。ＦＣＡ（複数可）の種類及び量は、実現されるべき目標利益及び／又は処理対象の布地に対して選択されてもよい。
【００５８】
１．第四級アンモニウムエステル
本開示の組成物は、布地コンディショニング活性物質として第四級アンモニウムエステル化合物を含み得る。第四級アンモニウムエステル化合物（「エステルクワット」と呼ばれることもある）は、組成物の約２重量％〜約４０重量％、又は約３重量％〜約２５重量％、好ましくは４重量％〜１８重量％、より好ましくは５重量％〜１５重量％の濃度で存在し得る。好ましくは、第四級アンモニウム布化合物が形成される親脂肪酸のヨウ素価（方法を参照）は、０〜約９０、又は約１０〜約７０、又は約１５〜約５０、又は約１８〜約３０である。ヨウ素価は、約２５〜５０、好ましくは３０〜４８、より好ましくは３２〜４５であってよい。理論に束縛されるものではないが、第四級アンモニウム化合物を形成する親脂肪酸が少なくとも部分的に不飽和であるとき、ＦＣＡの加工性がより容易な、より低い融点が得られる。特に二価不飽和脂肪酸は、ＦＣＡの加工を容易にすることができる。好ましい液体布地柔軟剤組成物では、第四級アンモニウムコンディショニング活性物質を形成する親脂肪酸は、全脂肪酸鎖の２．０重量％〜２０．０重量％、好ましくは３．０重量％〜１５．０重量％、より好ましくは４．０重量％〜１５．０重量％の二価不飽和Ｃ１８鎖（「Ｃ１８：２」）を含む（方法の項を参照されたい）。一方で、非常に高濃度の不飽和脂肪酸鎖は、経時的な布地柔軟剤組成物の酸化の結果としての悪臭形成を最小限に抑えるために回避されるべきである。
【００５９】
第四級アンモニウムエステル化合物は、組成物の０重量％超〜約３０重量％、又は約１重量％〜約２５重量％、又は約３重量％〜約２０重量％、又は約４．０重量％〜１８重量％、より好ましくは４．５重量％〜１５重量％、更により好ましくは５．０重量％〜１２重量％の濃度で存在し得る。第四級アンモニウムエステル化合物の濃度は、組成物（希釈又は濃縮された組成物）で活性な総布地コンディショニング活性物質の所望の濃度、及び他のＦＣＡの存在の有無に依存し得る。しかしながら、経時的な粘度増加のリスクは、典型的には、より高いＦＣＡ濃度を有する布地処理組成物の方が高い。一方、非常に高いＦＣＡ濃度では、粘度はもはや十分に制御することができない可能性があるので、製品が使用に適さなくなる。
【００６０】
好適な第四級アンモニウムエステル化合物としては、モノエステルクワット、ジエステルクワット、及びトリエステルクワット、並びにこれらの混合物からなる群から選択される材料が挙げられるが、これらに限定されない。好ましくは、全第四級アンモニウムエステル化合物の重量を基準として、モノエステルクワットの濃度は、２．０％〜４０．０％であり、ジエステルクワットの濃度は、４０．０％〜９８．０％であり、トリエステルクワットの濃度は、０．０％〜２５．０％である。
【００６１】
第四級アンモニウムエステル化合物は、以下の式の化合物を含み得る：
｛Ｒ２（４−ｍ）−Ｎ＋−［Ｘ−Ｙ−Ｒ１］ｍ｝Ａ−
式中、
ｍは、１、２又は３であるが、ただし、各ｍの値は、同一であり、
各Ｒ１は独立して、ヒドロカルビル基又は分岐鎖状ヒドロカルビル基であり、好ましくは、Ｒ１は、直鎖状であり、より好ましくは、Ｒ１は、部分不飽和直鎖状アルキル鎖であり、
各Ｒ２は、独立して、Ｃ１−Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２−Ｃ３アルコキシ）、ポリエトキシ、ベンジルから選択され、
各Ｘは、独立して、−（ＣＨ２）ｎ−、−ＣＨ２−ＣＨ（ＣＨ３）−又は−ＣＨ−（ＣＨ３）−ＣＨ２−であり、
各ｎは、独立して、１、２、３又は４であり、好ましくは、各ｎは、２であり、
各Ｙは、独立して、−Ｏ−（Ｏ）Ｃ−又は−Ｃ（Ｏ）−Ｏ−であり、
Ａ−は、独立して、塩化物、硫酸メチル、及び硫酸エチルからなる群から選択され、好ましくは、Ａ−は、塩化物及び硫酸メチルからなる群から選択され、より好ましくは、Ａ−は、硫酸メチルである）を含み得るが、
ただし、Ｙが−Ｏ−（Ｏ）Ｃ−であるときには、各Ｒ１における炭素の合計は、１３〜２１、好ましくは、１３〜１９である。好ましくは、第四級アンモニウムエステル化合物の加水分解安定性を改善するために、ひいては布地処理組成物の安定性を更に改善するために、Ｘは、−ＣＨ２−ＣＨ（ＣＨ３）−又は−ＣＨ−（ＣＨ３）−ＣＨ２−である。
【００６２】
好適な第四級アンモニウムエステル化合物の例は、Ｅｖｏｎｉｋから商標名Ｒｅｗｏｑｕａｔ  ＷＥ１８、Ｒｅｗｏｑｕａｔ  ＷＥ２０として、Ｓｔｅｐａｎから商標名Ｓｔｅｐａｎｔｅｘ  ＧＡ９０、Ｓｔｅｐａｎｔｅｘ  ＶＫ９０、Ｓｔｅｐａｎｔｅｘ  ＶＬ９０Ａとして市販されている。
【００６３】
２．シリコーン
布地処理組成物は、シリコーンを含むＦＣＡを含み得る。
【００６４】
シリコーンの好適な濃度は、本組成物の約０．１重量％〜約７０重量％、あるいは約０．３重量％〜約４０重量％、あるいは約０．５重量％〜約３０重量％、あるいは約１重量％〜約２０重量％を含み得る。有用なシリコーンは、任意のシリコーン含有化合物であり得る。シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択され得る。シリコーンは、ポリジアルキルシリコーン、あるいはポリジメチルシリコーン（ポリジメチルシロキサン、すなわち（polydimethyl siloxane、「ＰＤＭＳ」））、又はこれらの誘導体であり得る。シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、第四級シリコーン、又はこれらの組み合わせから選択され得る。シリコーンは、ポリジメチルシロキサン、アミノシリコーン、又はこれらの組み合わせ、好ましくはアミノシリコーンを含んでもよい。
【００６５】
シリコーンは、ランダム又はブロック状の有機シリコーンポリマーを含んでもよい。シリコーンは、エマルジョンとして提供されてもよい。
【００６６】
シリコーンは、比較的高い分子量によって特徴付けられてもよい。シリコーンの分子量を記載するための好適な方法としては、その粘度を記載することが挙げられる。高分子量シリコーンは、約１０ｃＳｔ〜約３，０００，０００ｃＳｔ、又は約１００ｃＳｔ〜約１，０００，０００ｃＳｔ、又は約１，０００ｃＳｔ〜約６００，０００ｃＳｔ、又は更には約６，０００ｃＳｔ〜約３００，０００ｃＳｔの粘度を有するものである。
【００６７】
３．非エステル第四級アンモニウム化合物
好適な非エステル第四級アンモニウム化合物は、次式：
［Ｒ（４−ｍ）−Ｎ＋−Ｒ１ｍ］Ｘ−
（式中、各Ｒは、水素、短鎖Ｃ１〜Ｃ６、一態様においてはＣ１〜Ｃ３アルキル基又はヒドロキシアルキル基、例えば、メチル、エチル、プロピル、ヒドロキシエチル、ポリ（Ｃ２−３−アルコキシ）、ポリエトキシ、ベンジル、又はこれらの混合物のいずれかを含み、各ｍは、１、２、又は３であるが、ただし、各ｍの値は、同一であり、各Ｒ１における炭素の合計は、Ｃ１２〜Ｃ２２であり得、各Ｒ１は、ヒドロカルビル基又は置換ヒドロカルビル基であり、Ｘ−は、任意の柔軟剤相溶性のアニオンを含み得る。化合物は、０〜約９０、又は約１０〜約７０、又は約１５〜約５０、又は約１８〜約３０のヨウ素価（方法を参照）を有する親脂肪酸から形成されてもよい。ヨウ素価は、約２５〜５０、好ましくは３０〜４８、より好ましくは３２〜４５であってよい。柔軟剤相溶性のアニオンは、塩化物イオン、臭化物イオン、硫酸メチルイオン、硫酸エチルイオン、硫酸イオン、及び硝酸イオンを含んでもよい。柔軟剤相溶性のアニオンは、塩化物イオン又は硫酸メチルイオンを含んでもよい。
【００６８】
非限定的な例としては、ジカノーラジメチルアンモニウムクロリド、ジ（ハード）タロウジメチルアンモニウムクロリド、ジカノーラジメチルアンモニウム硫酸メチル、及びこれらの混合物などのジアルキレンジメチルアンモニウム塩が挙げられる。本発明で使用可能な市販のジアルキレンジメチルアンモニウム塩の例は、Ｗｉｔｃｏ  Ｃｏｒｐｏｒａｔｉｏｎから商品名Ａｄｏｇｅｎ（登録商標）４７２として入手可能なジオレイルジメチル塩化アンモニウム、及びＡｋｚｏ  ＮｏｂｅｌからＡｒｑｕａｄ２ＨＴ７５として入手可能なジハードタロウジメチル塩化アンモニウムである。
【００６９】
４．アミン
好適なアミンとしては、アミドエステルアミン、アミドアミン、イミダゾリンアミン、アルキルアミン及びこれらの組み合わせからなる群から選択される材料が挙げられるが、これらに限定されない。好適なエステルアミンとしては、モノエステルアミン、ジエステルアミン、トリエステルアミン、及びこれらの組み合わせからなる群から選択される材料が挙げられるが、これらに限定されない。好適なアミドアミンとしては、モノアミドアミン、ジアミドアミン、及びこれらの組み合わせからなる群から選択される材料が挙げられるが、これらに限定されない。好適なアルキルアミンとしては、モノアルキルアミン、ジアルキルアミンクワット、トリアルキルアミン、及びこれらの組み合わせからなる群から選択される材料が挙げられるが、これらに限定されない。
【００７０】
５．脂肪酸
本開示の布地処理組成物は、ＦＣＡとして遊離脂肪酸などの脂肪酸を含んでもよい。「脂肪酸」という用語は、本明細書では、非プロトン化又はプロトン化形態の脂肪酸を含むように、最も広い意味で使用されている。当業者は、ある脂肪酸がプロトン化されているか、プロトン化されていないかが、ある程度、水性組成物のｐＨによって決まることを容易に理解するであろう。脂肪酸は、その非プロトン化形態、又は塩形態であり、カルシウム、マグネシウム、ナトリウム、カリウムなどが挙げられるがこれらに限定されない、対イオンを伴い得る。「遊離脂肪酸」という用語は、別の化学部分に結合（共有結合又は別様に結合）していない脂肪酸を意味する。
【００７１】
脂肪酸としては、１２個〜２５個、１３個〜２２個、又は更には１６個〜２０個の総炭素原子を含有し、かつ脂肪部分に１０個〜２２個、１２個〜１８個、又は更には１４個（ミッドカット）〜１８個の炭素原子を含有しているものを挙げることができる。
【００７２】
脂肪酸は、以下のものに由来し得る：（１）動物脂肪及び／又は部分水素添加動物脂肪（牛脂、ラードなど）、（２）植物油、及び／又は部分水素添加植物油（キャノーラ油、ベニバナ油、ピーナッツ油、ヒマワリ油、ゴマ種子油、ナタネ油、綿実油、トウモロコシ油、ダイズ油、トール油、米ぬか油、パーム油、パーム核油、ココナッツ油、その他の熱帯パーム油、アマニ油、キリ油、ヒマシ油など）、（３）熱、圧力、アルカリ異性化、及び触媒処理を介した加工油及び／又は増粘油（bodied oils）（アマニ油又はキリ油など）、（４）飽和脂肪酸（例えば、ステアリン酸）、不飽和脂肪酸（例えば、オレイン酸）、多不飽和脂肪酸（リノール酸）、分岐鎖脂肪酸（例えば、イソステアリン酸）、又は環状脂肪酸（例えば、多不飽和酸の飽和又は不飽和二置換シクロペンチル又はシクロヘキシル誘導体）を生じさせるための、上記のものの組み合わせ。異なる脂肪源由来の脂肪酸の混合物を使用することができる。
【００７３】
不飽和脂肪酸のシス／トランス比が重要である場合があり、（Ｃ１８：１材料の）シス／トランス比は、少なくとも１：１、少なくとも３：１、４：１以上、又は更には９：１以上である。
【００７４】
また、酸化に対して、並びに結果として生じる色及び臭気の質の悪化に対してより安定であり得るため、イソステアリン酸などの分岐鎖状脂肪酸もまた好適である。
【００７５】
脂肪酸は、０〜１４０、５０〜１２０、又は更には８５〜１０５のヨウ素価を有し得る。
【００７６】
６．多糖
本開示の布地処理組成物は、ＦＣＡとして多糖類、例えば、カチオン性デンプンを含んでもよい。本組成物で使用するのに好適なカチオン性デンプンは、Ｃｅｒｅｓｔａｒから商品名Ｃ＊ＢＯＮＤ（登録商標）として、及びＮａｔｉｏｎａｌ  Ｓｔａｒｃｈ  ａｎｄ  Ｃｈｅｍｉｃａｌ  Ｃｏｍｐａｎｙから商品名ＣＡＴＯ（登録商標）２Ａとして市販されている。
【００７７】
７．ショ糖エステル
布地処理組成物は、ＦＣＡとしてスクロースエステルを含んでもよい。ショ糖エステルは通常、ショ糖及び脂肪酸に由来し得る。ショ糖エステルは、そのヒドロキシル基のうちの１つ以上がエステル化されているショ糖部分で構成されている。
【００７８】
ショ糖は、以下の式を有する二糖である。
【００７９】
【化１】
2021526189.tif 000003
【００８０】
あるいは、ショ糖分子は、式、Ｍ（ＯＨ）８（式中、Ｍは、二糖主鎖である）によって表すことができ、この分子内には合計８個のヒドロキシル基がある。
【００８１】
したがって、ショ糖エステルは、以下の式によって表すことができ、
Ｍ（ＯＨ）８−ｘ（ＯＣ（Ｏ）Ｒ１）ｘ
式中、ｘは、エステル化されているヒドロキシル基の数であり、他方、（８−ｘ）は、未変化のままであるヒドロキシル基であり、ｘは１〜８、あるいは２〜８、あるいは３〜８、又は４〜８から選択される整数であり、Ｒ１部分は、独立して、Ｃ１〜Ｃ２２アルキル又はＣ１〜Ｃ３０アルコキシから選択され、直鎖又は分枝鎖であり、環式又は非環式であり、飽和又は不飽和であり、置換又は非置換である。
【００８２】
Ｒ１部分は、独立して選択され、様々な鎖長を有する、直鎖状アルキル又はアルコキシ部分を含み得る。例えば、Ｒ１は、直鎖状アルキル又はアルコキシ部分の混合物を含み得、直鎖の２０％超がＣ１８であり、あるいは直鎖の５０％超がＣ１８であり、あるいは直鎖の８０％超がＣ１８である。
【００８３】
Ｒ１部分は、飽和及び不飽和アルキル又はアルコキシ部分の混合物を含み得る。本明細書で使用されるのに好適なスクロースエステルのヨウ素価は、１〜１５０、又は２〜１００、又は５〜８５の範囲である。Ｒ１部分を水素添加して、不飽和度を低減させてもよい。より高いヨウ素価、例えば４０〜９５が好ましい場合、オレイン酸、並びにダイズ油及びキャノーラ油に由来する脂肪酸が好適な出発材料である。
【００８４】
不飽和Ｒ１部分は、不飽和部位について「シス」型と「トランス」型との混合物を含み得る。「シス」／「トランス」比は、１：１〜５０：１、又は２：１〜４０：１、又は３：１〜３０：１、又は４：１〜２０：１の範囲であり得る。
【００８５】
８．分散性ポリオレフィン及びラテックス：
本開示の布地処理組成物は、ＦＣＡとして分散性ポリオレフィンを含んでもよい。ポリオレフィンは、ワックス、エマルション、分散液又は懸濁液の形態であり得る。
【００８６】
ポリオレフィンは、ポリエチレン、ポリプロピレン、又はこれらの組み合わせから選択されてもよい。カルボキシル、アルキルアミド、スルホン酸又はアミド基などの様々な官能基を含有するように、ポリオレフィンを少なくとも部分的に修飾してもよい。ポリオレフィンは、少なくとも部分的にカルボキシル修飾、あるいは言い換えれば、酸化されていてもよい。
【００８７】
布地コンディショニング活性物質の非限定的な例としては、分散性ポリエチレン及びポリマーラテックスが挙げられる。これらの剤は、エマルション、ラテックス、分散液、及び懸濁液などの形態であり得る。一態様では、それらは、エマルション又はラテックスの形態である。分散性ポリエチレン及びポリマーラテックスは、以下の範囲を含むがこれらに限定されない、広範な粒径直径（χ５０）を有することができる：１ｎｍ〜１００μｍ；あるいは１０ｎｍ〜１０μｍ。したがって、分散性ポリエチレン及びポリマーラテックスの粒径は、限定するものではないが、一般にシリコーン又は他の脂肪油よりも小さい。
【００８８】
一般に、ポリマーエマルションの作製又はポリマーラテックスの乳化重合に好適な任意の界面活性剤は、本発明において布地柔軟剤活性物質として使用されるポリマーエマルション及びラテックスに対する乳化剤として使用することができる。好適な界面活性剤としては、アニオン性、カチオン性、及び非イオン性の界面活性剤、並びにこれらの組み合わせが挙げられる。一態様では、かかる界面活性剤は、非イオン性及び／又はアニオン性界面活性剤である。一態様では、布地コンディショニング活性物質中の界面活性剤とポリマーとの比はそれぞれ、１：５である。
【００８９】
他の成分
本開示の布地処理組成物は、付着助剤を含み得る。付着助剤は、ＦＣＡ、香料、カプセル化有益剤、又はこれらの組み合わせの付着を促進することができ、処理組成物の性能効果を改善し、かつ／又はかかる有益剤のより効率的な配合を可能にすることができる。組成物は、組成物の０．０００１重量％〜３重量％、好ましくは０．０００５重量％〜２重量％、より好ましくは０．００１重量％〜１重量％、又は約０．０１重量％〜約０．５重量％、又は約０．０５重量％〜約０．３重量％の付着助剤を含んでもよい。付着助剤の量を制限することが望ましい場合があり、特に付着助剤がカチオン性ポリマーである場合、そのような材料は、泡の崩壊を抑制し、受容容器から洗濯機ドラムへの分配効率の低下をもたらすと考えられる。付着助剤は、カチオン性ポリマー又は両性ポリマー、好ましくはカチオン性ポリマーであり得る。
【００９０】
カチオン性ポリマー一般、及びその製造方法は、文献において既知である。好適なカチオン性ポリマーとしては、ポリクオタニウム−６（ポリ（ジアリルジメチルアンモニウムクロリド）、ポリクオタニウム−７（アクリルアミドとジアリルジメチルアンモニウムクロリドとのコポリマー）、ポリクオタニウム−１０（四級化ヒドロキシエチルセルロース）、ポリクオタニウム−２２（アクリル酸とジアリルジメチルアンモニウムクロリドとのコポリマー）などを挙げることができる。
【００９１】
好ましくは、付着助剤は、ポリビニルホルムアミド、部分的にヒドロキシル化されたポリビニルホルムアミド、ポリビニルアミン、ポリエチレンイミン、エトキシル化ポリエチレンイミン、ポリビニルアルコール、ポリアクリレート、及びこれらの組み合わせからなる群から選択され得る。カチオン性ポリマーは、カチオン性アクリレートを含み得る。
【００９２】
付着助剤は、粒子と同時に（例えば、カプセル化有益剤と同時に）又は布地処理組成物中で直接／独立して添加することができる。ポリマーの重量平均分子量は、屈折率（Refractive Index、ＲＩ）検出を用いてポリエチレンオキシド標準物質に対してサイズ排除クロマトグラフィーによって測定したとき、５００〜５００００００、又は１０００〜２００００００、又は２５００〜１５０００００ダルトンであり得る。一態様では、カチオン性ポリマーの重量平均分子量は、５０００〜３７５００ダルトンであり得る。
【００９３】
本開示の布地処理組成物は、構造化剤を含んでもよい。構造化剤は、例えば、粒子（例えば、ＦＣＡ液滴又はカプセル化有益剤）を懸濁させること、及び／又はそのような材料の集積／集約を阻害することによって、容器内の組成物の物理的安定性を促進し得る。
【００９４】
好適な構造化剤としては、非高分子結晶性ヒドロキシル官能性構造化剤、高分子構造化剤、セルロース繊維（例えば、木材を含む細菌、真菌、若しくは植物起源から誘導され得る微小繊維化セルロース）、ジアミドゲル化剤、又はこれらの組み合わせから誘導され得る。
【００９５】
セルロース繊維は、ポリマー増粘剤で少なくとも部分的にコーティングされてもよい。非ポリマー結晶性ヒドロキシル官能性構造化剤は、最終流体洗剤組成物への分散を補助するために予め乳化することができる結晶化可能なグリセリドを含んでもよい。結晶化可能なグリセリドは、液体洗剤組成物中で結晶化させることができるという条件で、水素添加ヒマシ油つまり「ＨＣＯ」又はその誘導体を含んでもよい。
【００９６】
ポリマー構造化剤は、天然由来及び／又は合成的に誘導され得る。好適な天然に誘導された高分子構造化剤としては、セルロース繊維、ヒドロキシエチルセルロース、疎水変性ヒドロキシエチルセルロース、カルボキシメチルセルロース、多糖誘導体、及びこれらの混合物が挙げられ得る。好適な多糖類誘導体としては、ペクチン、アルギネート、アラビノガラクタン（アラビアガム）、カラギーナン、ジェランガム、キサンタンガム、グアーガム、及びこれらの混合物が挙げられ得る。合成ポリマー構造剤の例としては、ポリカルボキシレート、ポリアクリレート、疎水変性エトキシル化ウレタン、疎水変性非イオン性ポリオール、及びこれらの混合物が挙げられ得る。ポリカルボキシレートポリマーは、ポリアクリレート、ポリメタクリレート、又はこれらの混合物であってよい。ポリアクリレートは、不飽和モノ−又はジ−炭酸と、（メタ）アクリル酸のＣ１−Ｃ３０アルキルエステルとのコポリマーであってもよい。このようなコポリマーは、商品名Ｃａｒｂｏｐｏｌ（登録商標）Ａｑｕａ  ３０でＮｏｖｅｏｎ  ｉｎｃから入手可能である。別の好適な構造化剤は、ＢＡＳＦから入手可能な商品名Ｒｈｅｏｖｉｓ  ＣＤＥで販売されている。
【００９７】
布地処理組成物（又はそのような組成物を含む製品）が使用前に振盪されるように意図される場合、そのような振盪は、保管中又は使用間に生じた任意の相分離に対抗し得るため、構造化剤は必須ではない場合がある。このような場合、布地処理組成物は、構造化剤を実質的に含まなくてもよい。
【００９８】
本開示の布地処理組成物は、担体を含んでもよい。好適な担体としては、液体担体を挙げることができる。好適な担体としては、水、非水性溶媒、塩、又はこれらの組み合わせを挙げることができる。
【００９９】
本組成物は、組成物の約１重量％、又は約１０重量％、又は約２５重量％、又は約５０重量％、から、約９０重量％、又は約８５重量％、又は約８０重量％、又は約７５重量％までの水を含むことができる。
【０１００】
非水性溶媒としては、メタノール、エタノール、プロパノール、イソプロパノール、１，３−プロパンジオール、１，２−プロパンジオール、エチレングリコール、グリセリン、グリコールエーテル、炭化水素、又はこれらの混合物などの有機溶媒を挙げることができる。他の非水性溶媒としては、シロキサン又は他のシリコーンなどの親油性流体、炭化水素、全フッ素化アミン、全フッ素化及びハイドロフルオロエーテル溶媒、又はこれらの混合物を挙げることができる。また、モノエタノールアミン、ジエタノールアミン、及びトリエタノールアミンなどのアミン含有溶剤が使用されてもよい。
【０１０１】
布地処理組成物は、安定化を促進し得る水溶性塩などのイオン強度の供給源を含んでもよい。好適な塩としては、塩化カルシウムなどのハロゲン化物のアルカリ金属塩及び／又はアルカリ土類金属塩を挙げることができる。
【０１０２】
本開示の布地処理組成物は、香料を含み得る。組成物は、家庭用ケア組成物の約０．１重量％〜約１０重量％、又は約０．１重量％〜約５重量％、好ましくは約０．５重量％〜約４重量％、より好ましくは約１重量％〜約３重量％の香料を含み得る。場合によっては、組成物が比較的無香であることが望ましい場合がある。そのような場合、追加の香料は添加されず、組成物は、０．１％未満又は更には０％の香料を含み得る。
【０１０３】
このような香料は、純香料、乳化香料、カプセル化香料、又はこれらの組み合わせの形態であってよい。組成物は、香料送達系を更に含んでもよい。
【０１０４】
本明細書で使用するとき、用語「香料」は、香料原料（ＰＲＭ）及び香料アコードを包含する。本明細書で使用するとき、用語「香料原料」は、少なくとも約１００ｇ／モルの分子量を有する化合物であって、匂い、芳香、エッセンス又は香りを、単独で又は他の香料原料と共に付与するうえで有用な化合物のことを指す。本明細書で使用するとき、用語「香料成分」及び「香料原料」は互換可能である。本明細書で使用するとき、用語「アコード」は、２種類以上のＰＲＭの混合物のことを指す。
【０１０５】
一般的なＰＲＭは特に、アルコール、ケトン、アルデヒド、エステル、エーテル、亜硝酸塩、及びテルペンなどのアルケンを含む。一般的なＰＲＭのリストは、例えば、「Ｐｅｒｆｕｍｅ  ａｎｄ  Ｆｌａｖｏｒ  Ｃｈｅｍｉｃａｌｓ」（Ｖｏｌ．Ｉ及びＩＩ）；Ｓｔｅｆｆｅｎ  Ａｒｃｔａｎｄｅｒ  Ａｌｌｕｒｅｄ  Ｐｕｂ．Ｃｏ．（１９９４）及び「Ｐｅｒｆｕｍｅｓ：Ａｒｔ，Ｓｃｉｅｎｃｅ  ａｎｄ  Ｔｅｃｈｎｏｌｏｇｙ」，Ｍｉｌｌｅｒ，Ｐ．Ｍ．ａｎｄ  Ｌａｍｐａｒｓｋｙ，Ｄ．，Ｂｌａｃｋｉｅ  Ａｃａｄｅｍｉｃ  ａｎｄ  Ｐｒｏｆｅｓｓｉｏｎａｌ（１９９４）、に見出すことができる。
【０１０６】
ＰＲＭは、常圧（７６０ｍｍＨｇ）で測定された沸点（Ｂ．Ｐ．）、及びこれらのオクタノール／水の分配係数（Ｐ）によって特徴付けられてもよい。下記でより詳細に述べるように、これらの特徴に基づいて、ＰＲＭＳは、第１象限、第２象限、第３象限又は第４象限の香料として分類することができる。
【０１０７】
ＰＲＭのオクタノール／水の分配係数は、オクタノール中及び水中でのその平衡濃度の比率である。多くのＰＲＭのｌｏｇＰが報告されている。例えばＤａｙｌｉｇｈｔ  Ｃｈｅｍｉｃａｌ  Ｉｎｆｏｒｍａｔｉｏｎ  Ｓｙｓｔｅｍｓ，Ｉｎｃ．（以後「Ｄａｙｌｉｇｈｔ  ＣＩＳ」と呼ぶ）（Ｉｒｖｉｎｅ，Ｃａｌｉｆｏｒｎｉａ）から入手可能なＰｏｍｏｎａ９２データベースは、元の文献の引用と共に、多くのものを含んでいる。本明細書で使用するとき、ＰＲＭのｌｏｇＰは、以下の試験方法の項に提供される香料方法に従って決定される。
【０１０８】
多くのＰＲＭの沸点が、例えば、「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ），」Ｓ．Ａｒｃｔａｎｄｅｒ，１９６９（著者により刊行）に示されており、文献を本明細書に参照により援用する。他の沸点の値は、Ｂｅｉｌｓｔｅｉｎ  Ｈａｎｄｂｏｏｋ，Ｌａｎｇｅ’ｓ  Ｈａｎｄｂｏｏｋ  ｏｆ  Ｃｈｅｍｉｓｔｒｙ，ａｎｄ  ｔｈｅ  ＣＲＣ  Ｈａｎｄｂｏｏｋ  ｏｆ  Ｃｈｅｍｉｓｔｒｙ  ａｎｄ  Ｐｈｙｓｉｃｓなどの異なる化学ハンドブック及びデータベースから得ることができる。異なる圧力、通常は、７６０ｍｍＨｇの常圧よりも低い圧力、における沸点のみが示されている場合、常圧での沸点は、「Ｔｈｅ  Ｃｈｅｍｉｓｔ’ｓ  Ｃｏｍｐａｎｉｏｎ，」Ａ．Ｊ．Ｇｏｒｄｏｎ  ａｎｄ  Ｒ．Ａ．Ｆｏｒｄ，Ｊｏｈｎ  Ｗｉｌｅｙ＆Ｓｏｎｓ  Ｐｕｂｌｉｓｈｅｒｓ，１９７２，ｐｐ．３０〜３６に示されるような沸点−圧力の計算図表を使用しておおよそ推定することができる。
【０１０９】
沸点（Ｂ．Ｐ．）が２５０℃よりも低く、かつＣｌｏｇＰが３．０よりも低い香料原料は、第１象限香料と呼ばれる。Ｂ．Ｐ．が２５０℃よりも低く、ｃｌｏｇＰが０〜３．０である第１象限香料が好ましい。Ｑｕａｄｒａｎｔ  Ｉ香料原料の非限定的な例としては、カプロン酸アリル、酢酸アミル（Arnyl）、プロピオン酸アミル（Arnyl）、アニスアルデヒド、アニソール、ベンズアルデヒド、酢酸ベンジル、ベンジルアセトン、ベンジルアルコール、ギ酸ベンジル、イソ吉草酸ベンジル、プロピオン酸ベンジル、β，γヘキセノール、カンフルガム、ラエボ−カルベオール（laevo-carveol）、ｄ−カルボン、シンナミルアルコール、ギ酸シンナミル、ｃｉｓ−ジャスモン、ｃｉｓ−３−ヘキセニルアセテート、クミン（Curninic）アルコール、クミンアルデヒド、シクラルＣ（Cyclal C）、ジメチルベンジルカルビノール、酢酸ジメチルベンジルカルビニル、酢酸エチル、アセト酢酸エチル、エチルアミルケトン、安息香酸エチル、酪酸エチル、エチルヘキシルケトン、フェニル酢酸エチル、ユーカリプトール、オイゲノール、フェンチルアルコール、フロールアセテート（Flor Acetate）（トリシクロデセニルアセテート）、フルテン（トリシクロデセニルプロピオネート）、ゲラニオール、ヘキセノール、酢酸ヘキセニル、酢酸ヘキシル、ギ酸ヘキシル、ヒドロアトロパアルコール、ヒドロキシシトロネラール、イソアミルアルコール、イソメントン、酢酸イソプレギル、イソキノリン、ｃｉｓ−ジャスモン、リグストラール、リナロール、リナロールオキシド、ギ酸リナリル、メントン、メチルアセトフェノン、メチルアミル（Arnyl）ケトン、アントラニル酸メチル、安息香酸メチル、メチルベンジルアセテート、ネロール、フェニルエチルアルコール、α−テルピネオール、プロピオン酸エチルエステル、プロピオン酸エチル、酢酸２−メチルプロピルエステル、酢酸イソブチル、ブタン酸２−メチル−エチルエステル、酪酸エチル−２−メチル、２−ヘキセナール、（Ｅ）−、２−ヘキセナール、ベンゼン酢酸メチルエステル、フェニル酢酸エチル、１，３−ジオキソラン−２−酢酸２−メチル−エチルエステル、フラクトン、ベンゼンアセトアルデヒド．α．メチル−ヒドラトロピックアルデヒド、酢酸（２−メチルブトキシ）−２−プロペニルエステル、アリルアミルグリコレート、エタノール２，２’−オキシビス−、カローン（Calone）１６１、２（３Ｈ）−フラノン５−エチルジヒドロ−，γ−ヘキサラクトン、２Ｈ−ピラン３，６−ジヒドロ−４−メチル−２−（２−メチル−１−プロペニル）−、ネロールオキシド、２−プロペナール３−フェニル−、ケイ皮アルデヒド、２−プロペン酸３−フェニル−メチルエステル、ケイ皮酸メチル、４Ｈ−ピラン−４−オン２−エチル−３−ヒドロキシ−、エチルマルトール、２−ヘプタノン、メチルアミルケトン、酢酸ペンチルエステル、イソアミルアセテート、へプテノンメチル−、メチルヘプテノン、１−ヘプタノール、ヘプチルアルコール、５−ヘプテン−２−オン６−メチル、メチルヘプテノン、エタノール２−（２−メトキシエトキシ）−、ベラモス（Veramoss）Ｓｐｓ、トリシクロ［２．２．１．０２，６］ヘプタン１−エチル−３−メトキシ−、ネオプロキセン（Neoproxen）��ベンゼン１，４−ジメトキシ−、ヒドロキノンジメチルエーテル、炭酸３−ヘキセニルメチルエステル（Ｚ）−、リファローム（Liffarome）、オキシラン２，２−ジメチル−３−（３−メチル−２、４−ペンタジエニル）−、マイロキシド（Myroxide）、エタノール２−（２−エトキシエトキシ）−、ジエチレングリコールモノエチルエーテル、シクロヘキサンエタノール、シクロヘキシルエチルアルコール、３−オクテン−１−オール（Ｚ）−、オクテノール（Octenol）Ｄｉｘ、３−シクロヘキセン−１−カルボキシアルデヒド３，６−ジメチル−、シクロベルタール（Cyclovertal）、１，３−オキサチアン２−プロピル−４−メチル−ｃｉｓ−、オキサン、酢酸４−メチルフェニルエステル、酢酸ｐ−クレジル、ベンゼン（２，２−ジメトキシエチル）−、フェニルアセトアルデヒドジメチルアセタール、オクタナール７−メトキシ−３，７−ジメチル−、メトキシシトロネラールＰｑ、２Ｈ−１−ベンゾピラン−オン２−オクタヒドロ−、オクタヒドロクマリン、ベンゼンプロパナール．β．−メチル−、トリフェマール（Trifemal）、４，７−メタノ−１Ｈ−インデンカルボキシアルデヒドオクタヒドロ−、ホルミルトリシクロデカン、エタノン１−（４−メトキシフェニル）−、ｐ−メトキシアセトフェノン、プロパンニトリル３−（３−ヘキセニルオキシ）−（Ｚ）−、パルマニル（Parmanyl）、１，４−メタノンナフタレン−５（１Ｈ）−オン４，４ａ，６，７，８，８ａ−ヘキサヒドロ−、タミゾン（Tamisone）、ベンゼン［２−（２−プロペニルオキシ）エチル］−、ＬＲＡ２２０、ベンゼンプロパノール、フェニルプロピルアルコール、１Ｈ−インドール、インドール、１，３−ジオキソラン２−（フェニルメチル）−、エチレングリコールアセタール／フェニルアセトアルデヒド、２Ｈ−１−ベンゾピラン−２−オン３，４−ジヒドロ−、ジヒドロクマリン、及びこれらの混合物が挙げられる。
【０１１０】
沸点（Ｂ．Ｐ．）が約２５０℃以上であるか、又はＣｌｏｇＰが３．０よりも低い香料原料は、第２象限香料と呼ばれる。Ｂ．Ｐ．が２５０℃よりも高く、ｃｌｏｇＰが０〜３．０である第２象限香料が好ましい。Ｑｕａｄｒａｎｔ  ＩＩ香料の非限定的な例としては、クマリン、オイゲノール、イソオイゲノール、インドール、ケイ皮酸メチル、ジヒドロジャスモン酸メチル、メチル−Ｎ−メチルアントラニレート、β−メチルナフチルケトン、δ−ナノラクトン、バニリン、及びこれらの混合物が挙げられる。
【０１１１】
沸点（Ｂ．Ｐ．）が２５０℃よりも低く、かつＣｌｏｇＰが約３．０よりも高い香料原料は、第３象限香料と呼ばれる。Ｑｕａｄｒａｎｔ  ＩＩＩ香料原料の非限定的な例としては、イソ酢酸イソボルニル（iso-bomyl acetate）、カルバクロール、α−シトロネロール、パラシメン、ジヒドロミルセノール、酢酸ゲラニル、ｄ−リモネン、酢酸リナリル、バーテネックス（vertenex）が挙げられる。
【０１１２】
沸点（Ｂ．Ｐ．）が約２５０℃以上であるか、又はｃｌｏｇＰが約３．０以上である香料原料は、第４象限香料又は持続性香料（enduring perfume）と呼ばれる。持続性香料原料の非限定的な例としては、シクロヘキサンプロピオン酸アリル、アンブレットリド、安息香酸アミル、アミルシンナメート、アミルシンナメートアルデヒド、アミルシンナメートアルデヒドジメチルアセタール、サリチル酸イソアミル、ヒドロキシシトロネラール−メチルアントラニレート（オーランチオール（登録商標）として知られる）、ベンゾフェノン、サリチル酸ベンジル、ｐ−ｔｅｒｔ−ブチルシクロヘキシルアセテート、イソブチルキノリン、β−カリオフィレン、カジネン、セドロール、酢酸セドリル、ギ酸セドリル、シンナミルシンナメート、サリチル酸シクロヘキシル、シクラメンアルデヒド、ジヒドロイソジャスモネート、ジフェニルメタン、ジフェニルオキシド、ドデカラクトン、１−（１，２，３，４，５，６，７，８−オクタヒドロ−２，３，８，８−テトラメチル−２−ナフタレニル）−エタノン（イソＥスーパー（iso E super）（登録商標）として知られる）、ブラシル酸エチレン、グリシド酸メチルフェニル、ウンデシレン酸エチル、１５−ヒドロキシペンタデカン酸ラクトン（エクサルトリド（exaltolide）（登録商標）として知られる）、１，３，４，６，７，８−ヘキサヒドロ−４，６，６，７，８，８−ヘキサメチル−シクロペンタ−γ−２−ベンゾピラン（ガラキソリド（galaxolide）（登録商標）として知られる）、アントラニル酸ゲラニル、フェニル酢酸ゲラニル、ヘキサデカノリド、サリチル酸ヘキセニル、ヘキシルケイ皮アルデヒド、サリチル酸ヘキシル、α−イロン、γ−イオノン、γ−ｎ−メチルイオノン、ｐ−ｔｅｒｔ−ブチル−α−メチルヒドロシンナムアルデヒド（リリアル（lilial）（登録商標）として知られる）、リリアル（ｐ−ｔ−ブシナール）（登録商標）、安息香酸リナリル、２−メトキシナフタレン、ジヒドロジャスモン酸メチル、ジャコウインダノン、ジャコウケトン、ジャコウチベチン（musk tibetine）、ミリスチシン、オキサヘキサデカノリド−１０、オキサヘキサデカノリド−１１、パチュリアルコール、５−アセチル−１，１，２，３，３，６−ヘキサメチルインダン（ファントリド（phantolide）（登録商標）として知られる）、安息香酸フェニルエチル、酢酸フェニルエチルフェニル、フェニルヘプタノール、フェニルヘキサノール、α−サンタロール、δ−ウンデカラクトン、γ−ウンデカラクトン、酢酸ベチベリル（vetiveryl acetate）、ヤラヤラ（yara-yara）、イランゲン（ylangene）、が挙げられる。
【０１１３】
香料原材料及びアコードは、以下の香料材料供給元の１つ以上から入手することができる。すなわち、フィルメニッシュ社（Firmenich）（スイス、ジュネーブ（Geneva））、ジボダン社（Givaudan）（フランス、アルジャントゥイユ（Argenteuli））、ＩＦＦ社（ニュージャージー州、ヘズレット（Hazlet））、クエスト（Quest）社（ニュージャージー州、マウントオリーブ（Mount Olive））、ベドウキアン社（Bedoukian）（コネティカット州、ダンバリー（Danbury））、シグマ・アルドリッチ社（Sigma Aldrich）（ミズーリ州、セントルイス（St.Louis））、ミレニアム・スペシャルティ・ケミカルズ社（Millennium Specialty Chemicals）（イリノイ州、オリンピアフィールズ（Olympia Fields））、ポラロン・インターナショナル社（Polarone International）（ニュージャージー州、ジャージーシティー（Jersey City））、フレグランス・リソーシズ社（Fragrance Resources）（ニュージャージー州、キーポート（Keyport））、及びアロマ・アンド・フレーバー・スペシャルティーズ社（Aroma & Flavor Specialties）（コネティカット州、ダンバリー（Danbury））。
【０１１４】
従来、香料アコードは、衣類に対する高い付着効率、ひいては匂い付与性のために「持続性」香料（Ｑｕａｄｒａｎｔ  ＩＶ）を中心として配合されてきたのに対して、「非永続性」香料、特にＱｕａｄｒａｎｔ  Ｉ香料成分は、衣類に付着しにくいと考えられ、そのため、無駄及び汚染を最小に抑えるために典型的には単独でごく少量で使用されている。第１象限香料成分は親水性（例えば、３．０未満のＣｌｏｇＰ）であり、低沸点（例えば、２５０℃未満のＢ．Ｐ．）を有し、したがって、それらは、洗浄若しくはすすぎ媒体に、又は加熱乾燥中に容易に失われる。
【０１１５】
上記であるように、いくつかの非中香料成分、特に第１象限香料成分は、本開示の布地処理組成物に意図的に配合されてもよい。理論に束縛されるものではないが、このような非中香料成分、特に第１象限香料成分は、意図されるように本開示の組成物を分配する際に空気中に放出されると考えられる。このような放出は、即時の部屋への香りの心地よいバーストを提供し、それによって、別の方法で洗濯物の再生されたタスクをユーザにより楽しい体験に変換すると考えられる。
【０１１６】
したがって、本開示による組成物は香料を含み、香料は、（ｉ）約１５重量％〜約６０重量％、好ましくは約２０重量％〜約５５重量％、より好ましくは約２５重量％〜約５０重量％の非永続性成分の香料アコードを含有してもよく、（ｉｉ）約２重量％〜約１５重量％、好ましくは約３重量％〜約１２重量％、より好ましくは約４重量％〜約１０重量％の第１象限香料成分の香料アコードを含有してもよく、（ｉｉｉ）少なくとも約２重量％、又は少なくとも約３重量％、又は少なくとも約４重量％の第１象限香料成分を含んでもよく、（ｉｖ）又はこれらの組み合わせなどの様々な材料から作製され得る。上記のように、非永続性香料成分は、第１、第２及び第３象限香料成分を包含する。
【０１１７】
加えて、又は代替的に、香料は、約２．５重量％〜約２５重量％、好ましくは約３重量％〜約２０重量％、より好ましくは約５重量％〜約１５重量％のＱｕａｄｒａｎｔ  ＩＩ香料成分、約１０重量％〜約５０重量％、好ましくは約１５重量％〜約４５％、より好ましくは約２０重量％〜約４０重量％のＱｕａｄｒａｎｔ  ＩＩＩ香料成分、及び／又は、約４０重量％〜約８５重量％、好ましくは約４５重量％〜約７５重量％、より好ましくは約４０重量％〜約６５重量％のＱｕａｄｒａｎｔ  ＩＶ香料成分を含んでもよい。このような香料は、組成物を容器から分配する際に良好な香料性能を提供する一方で、洗浄を通して布地付着に効率的な香料を送達することができると考えられる。
【０１１８】
カプセル化香料は、香料を壁材料で少なくとも部分的に囲むことによって形成することができる。カプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール、又はこれらの混合物を含み得る。メラミン壁材料には、ホルムアルデヒドで架橋されたメラミン、ホルムアルデヒドで架橋されたメラミン−ジメトキシエタノール、及びそれらの混合物が含まれ得る。ポリアクリレート系壁材料には、メチルメタクリレート／ジメチルアミノメチルメタクリレートから形成されるポリアクリレート、アミンアクリレート及び／又はメタクリレート並びに強酸から形成されるポリアクリレート、カルボン酸アクリレート及び／又はメタクリレートモノマー並びに強塩基から形成されるポリアクリレート、アミンアクリレート及び／又はメタクリレートモノマー並びにカルボン酸アクリレート及び／又はカルボン酸メタクリレートモノマーから形成されるポリアクリレート、並びにそれらの混合物が含まれ得る。
【０１１９】
香料カプセルは、付着助剤、カチオン性ポリマー、非イオン性ポリマー、アニオン性ポリマー、又はこれらの混合物でコーティングされてもよい。好適なポリマーは、ポリビニルホルムアルデヒド、部分ヒドロキシル化ポリビニルホルムアルデヒド、ポリビニルアミン、ポリエチレンイミン、エトキシル化ポリエチレンイミン、ポリビニルアルコール、ポリアクリレート、多糖類（例えばキトサン）、及びこれらの組み合わせからなる群から選択され得る。
【０１２０】
一態様では、１つ以上の種類のカプセル化物、例えば、２種類のカプセル化物であって、第１又は第２のカプセル化物のうちの一方が、（ａ）他方とは異なる壁材料からなる壁を有するか、（ｂ）他方とは異なる量の壁材料若しくはモノマーを含む壁を有するか、又は（ｃ）他方とは異なる量の香油成分を含有する；又は（ｄ）異なる香油を含有する、マイクロカプセルを使用してもよい。カプセル化物は、スラリーとして組成物に添加されてもよい。
【０１２１】
香料送達技術は、アミン化合物（ＡＲＰ）又はチオ化合物を含んでもよい。アミン及び／又はチオ官能基が、１つ以上の香料原材料（ＰＲＭ）と予反応して、化合物を形成する、「反応性」のポリマー性アミン及び／又はポリマー性チオを使用することもできる。典型的には、反応性アミンは、一級及び／又は二級アミンであり、ポリマーの一部であってもモノマー（非ポリマー）であってもよい。また、このようなＡＲＰを追加のＰＲＭと混合して、ポリマー支援型送達及び／又はアミン支援型送達の効果を提供することもできる。ポリマー性アミンの非限定的な例としては、ポリエチレンイミン（ＰＥＩ）などのポリアルキルイミン、又はポリビニルアミン（ＰＶＡｍ）に基づくポリマーが挙げられる。モノマー（非ポリマー）アミンの非限定的な例としては、ヒドロキシルアミン、例えば、２−アミノエタノール及びそのアルキル置換誘導体、並びに芳香族アミン、例えば、アントラニレートが挙げられる。その効果としては、香料の送達の改善、及び／又は香料の徐放を挙げることができる。
【０１２２】
本開示の布地処理組成物は、非イオン性界面活性剤を含み得る。非イオン性界面活性剤は、布地処理組成物中への香料の分散を促進し得る。非イオン性界面活性剤は、シリコーンなどの特定のＦＣＡの乳化助剤としても作用し得る。組成物は、総組成物重量に基づいて、０．０１％〜１０％、好ましくは０．０１％〜５％、より好ましくは０．１％〜３．０％、最も好ましくは０．５％〜２．０％の非イオン性界面活性剤を含み得る。非イオン性界面活性剤は、エトキシル化非イオン性界面活性剤、好ましくは８〜１８の疎水性親油性バランス値を有するエトキシル化非イオン性界面活性剤であり得る。組成物は、組成物の約０．１重量％未満、更には０重量％の非イオン性界面活性剤を含み得る。
【０１２３】
好適な非イオン性界面活性剤の例は、ＢＡＳＦから商標名Ｌｕｔｅｎｓｏｌ  ＡＴ８０（ＢＡＳＦ製の平均エトキシル化度８０のエトキシル化アルコール）として、Ｃｌａｒｉａｎｔから商標名Ｇｅｎａｐｏｌ  Ｔ６８０（平均エトキシル化度６８のエトキシル化アルコール）として、Ｓｉｇｍａ  Ａｌｄｒｉｃｈから商標名Ｔｗｅｅｎ  ２０（平均エトキシル化度２０のポリソルベート）として市販されている。
【０１２４】
布地処理組成物は、約２、又は約３、から、約７、又は約６、又は約５、又は約４、のニートｐＨ、好ましくは約２〜約３．７、より好ましくは約２〜約３．５のｐＨを有し得る、好ましくは水性液体の形態である。ｐＨは、ＦＣＡの安定性を促進するように選択されてもよい。例えば、第四級アンモニウムエステル化合物を含む処理組成物は、約２〜約４、又は約２．５〜約３．５の未希釈ｐＨを有し得る。本開示の布地処理組成物は、水酸化物（例えば、ＮａＯＨ）、アルカノールアミンなどのアミン、強酸（例えば、ＨＣｌ）及び／又は有機酸（例えば、クエン酸、ギ酸）などのｐＨ調整剤及び／又は緩衝剤を含んでもよい。
【０１２５】
布地処理組成物は、染料、好ましくは非布地直接染料（例えば、審美染料）などの着色剤を含んでもよい。組成物の色は、受容容器と視覚的に対比してもよく、組成物が受容容器の適切な投与又は体積測定マークに到達したときに見ることがより容易になる。このような着色剤を有する組成物はまた、審美的に好ましいものであってもよい。
【０１２６】
布地処理組成物は、キレート剤（例えば、ＤＴＰＡ又はＨＥＤＰ）、防腐剤、抑泡剤、又は他の好適な剤などの追加の加工、安定性、又は性能補助剤を含んでもよい。
【０１２７】
布地処理組成物は、アニオン性界面活性剤がＦＣＡと負に相互作用し得るため、布地処理組成物は、特定の界面活性剤、特にアニオン性界面活性剤を実質的に含まなくてもよい。「実質的に含まない」とは、本明細書において、布地処理組成物が、組成物の１％未満、又は０．５％未満、又は０．１％未満、又は更には０％未満のアニオン性界面活性剤を含み得ることを意味する。アニオン性界面活性剤は意図的に添加されないが、微量量が他の（意図的に添加された）成分の不純物又は担体として組成物に入る可能性がある（好ましいものではない）。アニオン性界面活性剤としては、直鎖アルキルベンゼンスルホネート（ＬＡＳ）などのアニオン性スルホネート界面活性剤、アルコキシル化及び／若しくは非アルコキシル化サルフェート界面活性剤などの硫酸化界面活性剤、又はこれらの混合物を挙げることができる。アニオン性界面活性剤は、直鎖又は分枝鎖であってもよい。
【０１２８】
漂白剤が組成物のＦＣＡ及び／又は香料を分解し得るため、布地処理組成物は漂白剤を実質的に含まなくてもよい。「実質的に含まない」とは、本明細書において、布地処理組成物が、組成物の１％未満、又は０．５％未満、又は０．１％未満、又は更には０％未満の漂白剤を含み得ることを意味する。漂白剤としては、光漂白剤、漂白活性化剤、過酸化水素、過酸化水素源、予備形成過酸、次亜塩素酸塩タイプの漂白剤、又はこれらの混合物を挙げることができる。組成物はまた、漂白触媒、漂白活性化剤（例えば、ＮＯＢＳ若しくはＴＡＥＤ）、及び／又は漂白系中に存在し得る他の成分を実質的に含まなくてもよい。
【０１２９】
布地処理製品
布地処理組成物は、布地処理製品の一部として提供されてもよく、製品は、布地処理組成物を含有する容器を含む。
【０１３０】
容器は、容器の内容積部内に布地処理組成物を含んでもよい。容器の内容積は、約２５ｍＬ〜約１Ｌ、又は約５０ｍＬ〜約７５０ｍＬ、又は約１００ｍＬ〜約５００ｍＬ、又は約２００ｍＬ〜約３５０ｍＬであり得る。容器は、約２５ｇ〜約１０００ｇ、又は約５０ｇ〜約７５０ｇ、又は約１００ｇ〜約５００ｇ、又は約２００ｇ〜約３５０ｇの布地処理組成物を含んでもよい。容器がユーザによってより容易に操作されるように、比較的小さい容積及び／又は塊が好ましい場合がある。容器は、取り外し可能であり得るリザーバを備えてもよい。
【０１３１】
容器は、例えば泡として、上記に提供された密度で布地処理組成物を好適に分配することができる任意の容器であってもよい。容器は、トリガ噴霧器などの機械的に作動されたポンプを備えてもよく、又はエアゾール噴霧器などの加圧容器であってもよい。加圧容器は、組成物を泡として便利に分配するのに好ましい場合がある。
【０１３２】
本開示による容器は、直立分配を可能にし得るディップチューブを含んでもよい。しかしながら、このような容器は、ディップチューブが本開示の組成物によって遮断され得るため、あまり好ましくない場合がある。したがって、容器はディップチューブを含まなくてもよい。
【０１３３】
容器は、プラスチック、金属、合金、及び／又はアルミニウムなどの金属を含む任意の好適な材料で作製されてもよい。全プラスチックを含むプラスチック容器は、リサイクルの理由から好ましい場合がある。プラスチックはポリマーであってもよく、部分的に、実質的に、又は全体的に、ポリエステル、ポリエチレンテレフタレート（「ＰＥＴ」）、ポリエチレンナフタレート、ポリエチレンフラノエート、ポリアミド、ナイロン６／６、ナイロン６６、ナイロン１１、ポリカーボネート、ポリオキシメチレン、ポリアクリロニトリル、ポリオレフィン、ポリエチレン、ポリプロピレン、フルオロポリマー、ポリ（ブチレンサクシネート）、他のポリマー材料のバージン、リサイクル、及び粉砕再生品、他のポリマー材料のバイオベース及び石油ベースのバージョン、又はこれらの混合物。から構成されてもよい。アルミニウム容器などの金属容器を使用することができる。
【０１３４】
容器は、材料の層を含んでもよい。例えば、容器は、容器と布地処理組成物との適合性を改善するように選択され得る内部ライナー又はコーティングを含んでもよい。例えば、容器は、ポリアミドイミド（ＰＡＭ）ライナーなどの異なる材料のライナーを含んでもよい。このようなライナーは、酸性ｐＨを含む広範囲のｐＨを有する組成物と適合することができ、及び／又は金属容器の腐食を防止するのに役立ち得る。
【０１３５】
容器は、容器が、内袋と、内袋を囲む外側容器とを含み、内袋が開位置と閉位置との間で移動可能な、取り付けられた弁機構を有する、バッグオン弁型のものであり得る。外側容器は、金属又はプラスチックなどから形成されてもよく、本明細書に記載される噴射剤のいずれかは、外側容器と内袋との間の空間に充填され得る。内袋は可撓性であってよく、単一の材料、又は少なくともポリマー層と、例えば、アルミニウムなどの金属から作製されるガス障壁の機能を果たす層とを含み得る、プラスチックを含む複合材料から作製され得る。袋の内側材料は、組成物の内容物に対して不活性であってよく、内側材料は、袋内の組成物の内容物が浸透することができない材料でもあり得る。内袋は、袋の内側の噴射剤に対して本質的に不透過性の材料の層を含み得る。内袋は、袋の外側の噴射剤に対して本質的に不透過性である材料の層を含んでもよく、その材料の層は、概して、保管中に内袋内で組成物と混合されるように意図されていない。このような容器の種類は、容器の使用寿命にわたって（例えば、第１のスプレーから最後のスプレーまで）一貫した製品を送達することができることが好ましい場合があり、比較的粘稠な組成物と共に使用するのに好適であり得、及び／又は金属を腐食から保護するのに役立ち得る。
【０１３６】
容器は、分配されたときに処理組成物が容器から出る弁を含んでもよい。弁は、好適なサイズの１つ以上の出口開口部を含んでもよい。弁サイズ及び／又は数は、所望の流量を提供するように選択されてもよい。例えば、弁は、１つ、２つ、３つ、又は４つの開口部を含んでもよい。開口部は、約０．０１０インチ〜約０．１インチ、又は約０．０２０インチ〜約０．０５０インチの直径を有し得る。弁は、容器の長手方向軸と実質的に平行な方向、又は容器の長手方向軸と実質的に平行でない方向、例えば容器の長手方向軸に対して実質的に垂直な方向に、布地処理組成物を分配するように選択されてもよい。
【０１３７】
容器が加圧容器である場合、布地処理組成物は、容器内に収容されるとき、噴射剤を含んでもよい。布地処理組成物は、約１重量％〜約１２重量％、又は約１．５重量％〜約６重量％、又は約２重量％〜約４重量％の噴射剤を含み得る。噴射剤の量及び種類は、所望により、弁型と組み合わせて選択されて、所望の密度の泡及び／又は流量を供給してもよい。
【０１３８】
噴射剤は、１つ以上の揮発性物質を含んでもよく、これは気体状態では、濃縮布地処理組成物の他の成分を粒子状又は液滴形態で運ぶことができる。噴射剤は、約−４５℃〜約５℃の範囲内で沸点を有し得る。噴射剤は、圧力下で、従来のエアゾール容器中にパッケージ化されるとき、液化され得る。エアロゾルフォームディスペンサーを離れる際の噴射剤の急速な沸騰は、分配されるときの処理組成物の泡の形成を助けることができる。
【０１３９】
噴射剤は、任意の好適な噴射剤、又は噴射剤の混合物から選択されてもよい。好適な噴射剤としては、化学的に不活性な炭化水素などの炭化水素；ハイドロフルオロカーボン（ＨＦＣ）及び／又はハイドロフルオロオレフィン（ＨＦＯ）などのハロゲン化炭化水素；窒素、二酸化炭素、圧縮空気又はこれらの組み合わせを挙げることができる。化学的に不活性な炭化水素としては、プロパン、ｎ−ブタン、イソブタン、シクロプロパン、又はこれらの混合物を挙げることができ；イソブタン、プロパン、及び／又はブタンは、それらの低いオゾン反応性に好ましい場合がある。ハロゲン化炭化水素としては、ジクロロジフルオロメタン、１，１−ジクロロ−１，１，２，２−テトラフルオロエタン、１−クロロ−１，１−ジフルオロ−２，２−トリフルオロエタン、１−クロロ−１，１−ジフルオロエチレン、１，１−ジフルオロエタン、ジメチルエーテル、モノクロロジフルオロメタン、トランス−１，３，３，３−テトラフルオロプロペン、又はこれらの混合物を挙げることができる。
【０１４０】
クロロフルオロカーボン（ＣＦＣ）噴射剤は、環境上の理由から好ましくないため、噴射剤は、ハイドロフルオロカーボン（ＨＦＣ）、ハイドロフルオロオレフィン（ＨＦＯ）、又はこれらの組み合わせを含んでもよい。ＨＦＯは、環境及び／又は安全性の理由から好ましい場合がある。ＨＦＯはまた、消費者が好むと考えられる光沢などの、分配された製品に好ましい審美性を提供し得る。好適なＨＦＯ噴射剤としては、１，３，３，３−テトラフルオロプロペン；２，３，３，３−テトラフルオロプロペン；又はこれらの組み合わせを挙げることができる。ＨＦＯ−１２３４ｚｅとしても知られる１，３，３，３−テトラフルオロプロペンが好ましい場合がある。好適なＨＦＯ噴射剤は、Ｈｏｎｅｙｗｅｌｌ  Ｉｎｔｅｒｎａｔｉｏｎａｌ，Ｉｎｃ．のＳＯＬＳＴＩＣＥ（登録商標）商標で入手可能である。（Ｎｅｗ  Ｊｅｒｓｅｙ，ＵＳＡ）。
【０１４１】
容器は、布地処理組成物とは独立した香料又は香気源を含んでもよい。例えば、容器は、香料又は他の香りを放出するスクラッチ及び−スナッフステッカーなどのステッカーを含んでもよい。容器は、高分子ビーズ、糊剤、又は香料を含み香料の放出を可能にする他の接着剤を含んでもよい。かかる香料又は他の香りの供給源は、組成物の香りの消費者に望ましい信号であり得、組成物を分配する必要なく、香りを利用可能にすることができる。
【０１４２】
容器は、選択的に除去可能なキャップを含んでもよい。キャップは、本開示による受容容器として機能し得る。布地処理組成物は、キャップに提供されてもよく、充填されたキャップは、自動洗濯機のドラムに提供されてもよく、組成物は、水で希釈又は溶解されて処理液を形成してもよい。
【０１４３】
製造プロセス
本開示の組成物を作製することができ、本開示による製品は、当業者に既知のプロセスに従って組み立てられてもよい。例えば、布地処理組成物は、既知の方法に従って成分を所望の濃度で組み合わせることによって作製されてもよい。
【０１４４】
例えば、本明細書に開示する組成物は、その成分を任意の好都合な順序で組み合わせることによって、かつ得られた成分の組み合わせを混合、例えば撹拌して、相安定な布地ケア及び／又はホームケア組成物を形成することによって、調製され得る。流体成分の少なくとも大部分、又は更には実質的に全てを含有する流体マトリクスを形成することができ、流体成分は、この液体の組み合わせに剪断撹拌を加えることによって十分に混合される。例えば、機械的撹拌機による高速撹拌を使用してもよい。ＦＳＡ（例えば、エステルクアット）及び水を混合し、混合し、次いで、所望に応じて追加の添加剤を第四級アンモニウム／水混合物に添加することが望ましい場合がある。
【０１４５】
組成物は、好適なボトルに提供されてもよく、弁をボトル上に配置し、ボトルに噴射剤を提供する（例えば、弁上又は弁カップの下のステムを通して）。ボトルは振盪されるか、ないしは別の方法で撹拌されて混合されてもよい。
【０１４６】
追加的に又は代替的に、好適な液体噴射剤が、ベース布地処理組成物に提供されてもよく、得られた混合物をボトルに提供し、封止してもよい。次いで、噴射剤はボトル内で揮発し、圧力を上昇させることができる。
【０１４７】
布地処理組成物の使用
本開示は、本開示による布地処理組成物の使用に関し、この組成物は、例えば本明細書に記載されるプロセスに従って、水及び布地処理組成物を含む処理液で布地を処理したときに、布地に対するしわ防止効果を提供する。組成物は、好ましくは泡として、加圧容器から分配されてもよい。
【０１４８】
組み合わせ
本開示の具体的に想到される組み合わせを、ここで以下のアルファベットを付した項に記載する。これらの組み合わせは、事実上例示的なものであり、限定的であることを意図したものではない。
Ａ．布地処理組成物で布地を処理するプロセスであって、ａ．布地処理製品を提供する工程であって、製品が容器に収容された布地処理組成物を含み、布地処理組成物が布地コンディショニング活性物質（ＦＣＡ）を含む、工程と、ｂ．容器から布地処理組成物を泡として分配する工程であって、泡が受容容器に提供され、受容容器が、約１０ｍＬ〜約５００ｍＬ、好ましくは約２５ｍＬ〜約３５０ｍＬ、より好ましくは約５０ｍＬ〜約１５０ｍＬの受容容積を含む、工程と、ｃ．布地処理組成物を自動洗濯機のドラムに提供する工程と、ｄ．布地処理組成物を水と組み合わせて処理液を形成する工程と、自動洗濯機のドラム内の布地を処理液と接触させる工程と、を含む、プロセス。
Ｂ．泡としての組成物が、容器からの分配直後に決定される、約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの密度を有する、段落Ａに記載のプロセス。
Ｃ．組成物が、分配１０分後に約０．６ｇ／ｍＬ〜約１．１ｇ／ｍＬの密度を有する、段落Ａ又はＢのいずれか１つに記載のプロセス。
Ｄ．泡としての組成物が、組成物が容器から分配された直後に決定された、泡１ｍＬ当たり約０．０１〜約０．５ｇのＦＣＡ、又は約０．０２〜約０．１ｇのＦＣＡ、又は約０．０３〜約０．０６ｇのＦＣＡを含む、段落Ａ〜Ｃのいずれか１つに記載のプロセス。
Ｅ．受容容器に提供される組成物が、約０．５ｇ〜約２０ｇ、又は約１ｇ〜約１０ｇ、又は約２ｇ〜約８ｇ、又は約３ｇ〜約６ｇのＦＣＡを受容容器に提供する、段落Ａ〜Ｄのいずれか１つに記載のプロセス。
Ｆ．受容容器が、自動洗濯機の一部であり、好ましくは、受容容器がディスペンサー引き出しであるか、又は上部投入式機のセンターポスト上に位置する、段落Ａ〜Ｅのいずれか１つに記載のプロセス。
Ｇ．容器が手動で作動されるポンプを含むか、又は加圧容器であり、好ましくは容器が加圧容器である、段落Ａ〜Ｆのいずれか１つに記載のプロセス。
Ｈ．布地処理組成物が、約１ｇ／秒、又は約２ｇ／秒、又は約３ｇ／秒、又は約４ｇ／秒、又は約５ｇ／秒、約３５ｇ／秒、又は約３０ｇ／秒、又は約２５ｇ／秒、又は約２０ｇ／秒、又は約１５ｇ／秒、又は約１２ｇ／秒、又は約１０ｇ／秒、又は約８ｇ／秒、又は約６ｇ／秒、の流量で容器から分配される、段落Ａ〜Ｇのいずれか一項に記載の方法。
Ｉ．布地処理組成物が、約１秒〜約１０秒、好ましくは約２秒〜約６秒の期間にわたって容器から分配される、段落Ａ〜Ｈのいずれか一項に記載のプロセス。
Ｊ．布地処理組成物が、容器内にあるときに噴射剤を更に含み、好ましくは噴射剤は、炭化水素、ハイドロフルオロカーボン（ＨＦＣ）、ハイドロフルオロオレフィン（ＨＦＯ）、窒素、二酸化炭素、圧縮空気、又はこれらの組み合わせから選択され、より好ましくはＨＦＣ、ＨＦＯ、又はこれらの組み合わせ、更により好ましくはＨＦＯ、更により好ましくは１，３，３，３−テトラフルオロプロペンを含むＨＦＯを含む、段落Ａ〜Ｉのいずれか１つに記載のプロセス。
Ｋ．布地処理組成物が、容器中にあるとき、布地処理組成物の約１重量％〜約１２％重量％、又は約１．５％重量％〜約６％重量％、又は約２重量％〜約４％重量％の噴射剤を含む、段落Ａ〜Ｊのいずれか一項に記載のプロセス。
Ｌ．泡の初期体積が、分配後１０分以内に少なくとも５０％減少する、段落Ａ〜Ｋのいずれか一項に記載のプロセス。
Ｍ．自動洗濯機のドラムに処理組成物を提供する工程が、処理組成物を受容容器内の水で希釈することを含む、段落Ａ〜Ｌのいずれか一項に記載のプロセス。
Ｎ．布地処理組成物であって、組成物が布地コンディショニング活性物質（ＦＣＡ）を含み、組成物が容器に収容され、容器から分配された直後に、組成物は、約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの密度を有する泡の形態である、布地処理組成物。
Ｏ．布地処理組成物であって、布地コンディショニング活性物質（ＦＣＡ）を含み、組成物がカプセル化香料を更に含み、布地処理組成物が加圧容器に収容される、布地処理組成物。
Ｐ．布地処理組成物であって、布地コンディショニング活性物質（ＦＣＡ）を含み、組成物がハイドロフルオロオレフィン噴射剤を更に含み、布地処理組成物が加圧容器に収容される、布地処理組成物。
Ｑ．布地処理組成物であって、布地コンディショニング活性物質（ＦＣＡ）を含む布地処理組成物であって、布地処理組成物は加圧容器内に収容され、布地処理組成物は、分配された直後に決定される、約０．０５〜約０．５ｇ／ｍＬ、又は約０．１〜約０．４ｇ／ｍＬ、又は約０．１〜約０．３ｇ／ｍＬ、又は約０．２〜約０．３ｇ／ｍＬの第１の密度と、分配された１０分後に決定される、約０．６ｇ／ｍＬ〜約１．１ｇ／ｍＬの第２の密度と、によって特徴付けられる、布地処理組成物。
Ｑ１．段落Ｎ〜Ｑのいずれかの組み合わせによる布地処理組成物。
Ｒ．布地処理組成物が、布地ケア組成物の１重量％〜約７５％重量％のＦＣＡを含む、段落Ｎ〜Ｑ１のいずれか１つに記載の布地処理組成物。
Ｓ．ＦＣＡが、第四級アンモニウムエステル化合物、シリコーン、非エステル第四級アンモニウム化合物、アミン、脂肪酸エステル、スクロースエステル、シリコーン、分散性ポリオレフィン、多糖類、脂肪酸、軟化若しくはコンディショニング油、ポリマーラテックス、又はこれらの組み合わせ、好ましくは第四級アンモニウムエステル化合物、シリコーン、又はこれらの組み合わせからなる群から選択される、段落Ｎ〜Ｒのいずれか１つに記載の布地処理組成物。
Ｔ．ＦＣＡが、第四級アンモニウムエステル化合物を含み、好ましくは組成物の約２重量％〜約４０％重量％、より好ましくは約３重量％〜約２５％重量％、更により好ましくは４重量％〜１８％重量％、更により好ましくは５重量％〜１５％重量％の量で含む、布地処理組成物。
Ｕ．ＦＣＡが、シリコーンを含み、好ましくは組成物の約０．１％〜約７０％、より好ましくは約０．３％〜約４０％、又はより好ましくは約０．５％〜約３０％、又は更には約１％〜約２０％の量のシリコーンを含む、段落Ｎ〜Ｔのいずれか１つに記載の布地処理組成物。
Ｖ．第四級アンモニウムエステル化合物及びシリコーンを含み、（ａ）第四級アンモニウムエステル化合物及びシリコーンの合計総量が、約５％〜約７０％、又は約６％〜約５０％、又は約７％〜約４０％、又は約１０％〜約３０％、又は約１５％〜約２５％であり、又は（ｂ）第四級アンモニウムエステル化合物及びシリコーンが、約１：１０〜約１０：１、又は約１：５〜約５：１、又は約１：３〜約１：３、又は約１：２〜約２：１、又は約１：１．５〜約１．５：１、又は約１：１の重量比で存在し、又は（ｃ）（ａ）及び（ｂ）の両方の重量比で存在する、段落Ｎ〜Ｕのいずれか１つに記載の布地処理組成物。
Ｗ．布地処理組成物が、付着助剤、構造化剤、又はこれらの組み合わせを更に含む、段落Ｎ〜Ｖのいずれか１つに記載の布地処理組成物。
Ｘ．付着助剤を含み、付着助剤がカチオン性ポリマーであり、好ましくはカチオン性ポリマーがクオタニウムアンモニウムポリマーを含み、任意に、組成物は、組成物の０．０００１％〜３％、好ましくは０．０００５％〜２％、より好ましくは０．００１％〜１％、又は約０．０１％〜約０．５％、又は約０．０５％〜約０．３％の付着助剤を含む、段落Ｎ〜Ｗのいずれか１つに記載の布地処理組成物。
Ｙ．布地処理組成物が、香料、好ましくは純香料、乳化香料、カプセル化香料、又はこれらの組み合わせを更に含む、段落Ａ〜Ｘのいずれか１つに記載の布地処理組成物。
Ｚ．組成物が香料を含み、香料が、（ｉ）約１５％〜約６０％、好ましくは約２０％〜約５５％、より好ましくは約２５％〜約５０重量％の非永続性成分の香料成分の香料と、（ｉｉ）約２重量％〜約１５重量％、好ましくは約３重量％〜約１２重量％、より好ましくは約４重量％〜約１０重量％の第１象限香料成分の香料アコードと、（ｉｉｉ）少なくとも約２重量％、又は少なくとも約３重量％、又は少なくとも約４重量％の第１象限香料成分と、（ｉｖ）又はこれらの組み合わせ、を含む段落Ｎ〜Ｙのいずれか１つに記載の布地処理組成物。
ＡＡ．組成物が香料を含み、香料が約２．５％〜約２５％、好ましくは約３％〜約２０％、より好ましくは約５％〜約１５％の第２象限香料成分と、約１０％〜約５０％、好ましくは約１５％〜約４５％、より好ましくは約２０％〜約４０％の第３象限香料成分と、及び／又は約４０％〜約８５％、好ましくは約４５％〜約７５％、より好ましくは約４０％〜約６５％の第４象限香料成分と、を含む、パラグラフＮ〜Ｚのいずれか１つに記載の布地処理組成物。
ＢＢ．Ｉ．組成物が非イオン性界面活性剤を実質的に含まない、段落Ｎ〜ＡＡのいずれか１つに記載の布地処理組成物。
ＣＣ．組成物が、組成物の約１％又は約１０％、又は約２５％、又は約５０％から、約９０％、又は約８５％、又は約８０％、又は約７５％、までの水を含む、段落Ｎ〜ＢＢのいずれか１つに記載の布地処理組成物。
ＤＤ．布地処理組成物が、段落Ｎ〜ＣＣのいずれかに記載の布地処理組成物である、段落Ａ〜Ｍのいずれか１つに記載のプロセス。
ＥＥ．組成物が、段落Ａ〜Ｍのいずれかに記載の組成物である、段落Ｎ〜ＣＣのいずれか１つに記載の布地処理組成物。
ＦＦ．段落Ｎ〜ＣＣのいずれか１つに記載の布地処理組成物の使用であって、布地を水及び布地処理組成物を含む処理液で処理したときに、布地にしわ防止効果を提供する、使用。
【０１４９】
試験方法
以下の試験方法を用いて、本明細書に記載される特定の特性のいくつかを決定する。
【０１５０】
分配組成物の密度
体積測定マーク（ＶＷＲカタログ番号８９０００−２０２）を標準天秤（例えばＭｅｔｔｌｅｒ  ＰＭ４６００）上に有する１５０ｍＬガラスビーカーである。ビーカーに泡生成物を分配し、ビーカーに泡を１００ｍＬのラインに充填する。ビーカーの周囲に泡を円形に分配することによって、任意の無充填容積（例えば、空気ポケット）を最小化する。１００ｍＬのラインに均一に充填されると、分配された製品の質量（例えば１４．８ｇ）を記録する。１００ｍＬによって分配される生成物の質量（グラム単位）を分割して、ｇ／ｍＬ（ｇ／ｃｍ３として報告されてもよい）の密度を得る。
【０１５１】
分配組成物の流量
分配された組成物の流量を決定するために、カップ又は容器を入手し、風袋を計り取る。ストップウォッチ及びサンプル製品を得る。ストップウォッチを開始し、泡生成物をカップ又は容器内に直ちに分配する。５秒後、製品の分配を直ちに停止する。分配された製品の重量を記録し、得られた流量をｇ／秒で記録する。分配された組成物がカップ又は容器を溢れた場合、トライアルを無視し、新しいカップ又は好適なサイズの容器で再び開始する。
【０１５２】
泡の崩壊速度
泡の崩壊速度を決定するために、体積測定マーク（例えば、１５０ｍＬビーカー、ＶＷＲカタログ番号８９０００−２０２）を標準天秤上に有するガラスビーカー（例えば、Ｍｅｔｔｌｅｒ  ＰＭ４６００）。泡製品をビーカー内に、１００ｍＬのラインに均一に分配する。泡をビーカーの周囲に円形に分配することによって、任意の無充填容積（例えば、空気ポケット）を最小化する。泡の分配完了直後にタイマーを開始する。（ビーカーは、重量を記録するために配置された天秤上に静置されていなくてもよく、又はベンチトップ上に配置されてもよい。）所望の時間間隔（例えば、２分、４分、６分、８分、１０分など）で泡体積を（ビーカー全体の平均泡高さに基づいて）記録する。時間の関数として泡体積を報告する。したがって、第１、第２などの「密度」を所与の時間間隔で記録することができる。所望であれば、泡が開始流体の密度（予備分配）まで崩壊する最終時間を記録することができ、及び／又は泡体積が、選択された時間間隔の３つの後に明らかに変化しないときに記録することができる。
【０１５３】
布地柔軟剤組成物のｐＨを測定する方法
ｐＨは、取扱説明書に従って較正されたゲル充填プローブ（例えば、Ｔｏｌｅｄｏプローブ、部品番号５２  ０００  １００）を備えるＳａｒｔｏｒｉｕｓ  ＰＴ−１０Ｐ  ｐＨメータを用いて、未希釈の布地処理組成物に対して測定される。
【０１５４】
布地処理組成物の粘度を測定する方法
未希釈の布地処理組成物の粘度は、Ｂｒｏｏｋｆｉｅｌｄ（登録商標）ＤＶ−Ｅ回転粘度計を用いて、６０ｒｐｍ、２１℃で測定される。スピンドル２は、５０ｍＰａ・ｓ〜４００ｍＰａ・ｓの粘度に使用される。スピンドル３は、４０１ｍＰａ・ｓ〜２．０Ｐａ・ｓの粘度に使用される。
【０１５５】
本開示による液体組成物は、約５０〜約１５００、又は約７５〜約１００、又は約１００〜約５００ｍＰａ．ｓ．の粘度によって特徴付けられ得る。
【０１５６】
布地柔軟化活性物質である第四級アンモニウムエステル化合物のヨウ素価を測定する方法：
第四級アンモニウムエステルの布地コンディショニング活性物質のヨウ素価は、布地コンディショニング活性物質を形成する親脂肪酸のヨウ素価のことであり、布地コンディショニング活性物質を形成する親脂肪酸１００グラムと反応する、ヨウ素のグラム数として定義される。
【０１５７】
まず、第四級アンモニウムエステル化合物は、以下のプロトコルに従って加水分解される：第四級アンモニウム化合物２５ｇを、水５０ｍＬ及び水酸化ナトリウム０．３ｍＬと混合する（５０％活性）。この混合物が乾固するのを回避しながら、この混合物をホットプレート上で少なくとも１時間、沸騰させる。１時間後、この混合物を冷却し、ｐＨ試験紙又は較正済みｐＨ電極を使用して、２５％硫酸でｐＨを中性（６〜８のｐＨ）に調節する。
【０１５８】
次に、ヘキサン又は石油エーテルを用いて酸性液−液抽出を介して混合物から脂肪酸を抽出する：抽出シリンダー内においてサンプル混合物を水／エタノール（１：１）で１６０ｍＬに希釈し、塩化ナトリウム５グラム、硫酸（２５％活性）０．３ｍＬ、及びヘキサン５０ｍＬを加える。このシリンダーに栓をして、少なくとも１分間、振盪する。次に、２層が形成されるまで、このシリンダーを静置する。ヘキサン中に脂肪酸を含有する上部の層は、別の受容器に移す。次に、ホットプレートを使用して、ヘキサンを蒸発させて、抽出した脂肪酸を残留させる。
【０１５９】
次に、布地コンディショニング活性物質を形成する親脂肪酸のヨウ素価は、ＩＳＯ３９６１：２０１３に準拠して測定する。親脂肪酸のヨウ素価を計算する方法は、指定量（０．１〜３ｇ）をクロロホルム１５ｍＬに溶解する工程を含む。次に、溶解した親脂肪酸を、２５ｍＬの、一塩化ヨウ素（０．１Ｍ）の酢酸溶液と反応させる。ここに、１０％ヨウ化カリウム溶液２０ｍＬ及び脱イオン水１５０ｍＬを加える。ハロゲンの添加を行った後、指示薬（ブルースターチ）粉末の存在下で、チオ硫酸ナトリウム溶液（０．１Ｍ）を用いて滴定することにより、過剰な一塩化ヨウ素を測定する。同時に、同じ量の試薬を用い、同一条件下で、ブランクを測定する。ブランクにおいて使用したチオ硫酸ナトリウムの量と、親脂肪酸との反応において使用した量との間の差により、ヨウ素価を算出することが可能になる。
【０１６０】
脂肪酸鎖長分布を測定する方法
第四級アンモニウムエステル布地コンディショニング活性物質の脂肪酸鎖長分布は、布地コンディショニング活性物質が形成される親脂肪酸の鎖長分布を指す。第四級アンモニウムエステルコンディショニング活性物質に対して、又は第四級アンモニウムエステル布地コンディショニング活性物質のヨウ素価を決定するための方法に記載されているとおり布地コンディショニング組成物から抽出された脂肪酸に対して測定を行うことができる。脂肪酸鎖長分布は、０．２ｇの第四級アンモニウムエステル柔軟化活性物質又は抽出された脂肪酸を３ｍＬの２−ブタノールに溶解させ、３つのガラスビーズを添加し、サンプルを高速で４分間ボルテックスすることによって測定される。次いで、この抽出物のアリコートを２ｍＬのガスクロマトグラフィーバイアルに移し、次いで、ガスクロマトグラフ（Ａｇｉｌｅｎｔ  ＧＣ６８９０Ｎ）のガスクロマトグラム入口（２５０℃）に注入し、得られた副生成物をＤＢ−５ｍｓカラム（３０ｍ×２５０μｍ×１．０μｍ、２．０ｍＬ／分）で分離する。これら副生成物を、質量分析計（Ａｇｉｌｅｎｔ  ＭＳＤ５９７３Ｎ、ＣｈｅｍｓｔａｔｉｏｎソフトウェアバージョンＥ．０２．０２）を使用して同定し、対応する脂肪酸鎖長のピーク領域を測定する。脂肪酸鎖長分布は、全ての脂肪酸鎖長に対応する全てのピークの合計と比較した、対象となる各脂肪酸鎖長に対応するピーク面積の相対比によって決定される。
【０１６１】
香料方法（ＬｏｇＰの判定を含む）
本明細書に記載するコンピュータによる値試験方法に関与する計算を行うために、必要な最初の情報は、試験する香料中の各ＰＲＭの属性、香料の割合としての重量％、モル％を含み、香料組成物中の全てのＰＲＭが計算に含まれる。更に、これらのＰＲＭそれぞれについて、本明細書に記載する分子記述子の作成のための試験方法に従って決定される、分子構造、種々のコンピュータによって誘導される分子記述子の値も必要である。
【０１６２】
Ａ．分子記述子の作成のための試験方法
香料混合物又は組成物中の各々のＰＲＭに関して、その分子構造を使用し、様々な分子記述子を計量する。分子構造は、Ａｍｅｒｉｃａｎ  Ｃｈｅｍｉｃａｌ  Ｓｏｃｉｅｔｙ（Ｃｏｌｕｍｂｕｓ，Ｏｈｉｏ，Ｕ．Ｓ．Ａ．）の一部門であるＣｈｅｍｉｃａｌ  Ａｂｓｔｒａｃｔ  Ｓｅｒｖｉｃｅ（「ＣＡＳ」）によって提供される、グラフィック分子構造図によって決定される。これらの分子構造は、ＣＡＳ  Ｃｈｅｍｉｃａｌ  Ｒｅｇｉｓｔｒｙ  Ｓｙｓｔｅｍのデータベースから各々のＰＲＭの索引名又はＣＡＳ番号を調べることによって得ることができる。試験時点で、ＣＡＳ  Ｃｈｅｍｉｃａｌ  Ｒｅｇｉｓｔｒｙ  Ｓｙｓｔｅｍのデータベースにまだ掲載されていないＰＲＭに関しては、他のデータベース又は情報源を使用し、その構造を決定してもよい。２つ以上の異性体が存在する可能性のあるＰＲＭに関しては、そのＰＲＭを表すために選択される、ただ一つの異性体の分子構造を使用し、分子記述子の計量を実行する。所与のＰＲＭの全ての異性体のうち、ＰＲＭが、その分子構造が製剤中の重量％で最も優勢である異性体であることを表すように選択される。そのＰＲＭの他のあり得る異性体の構造は、この計量から除外される。最も関係がある異性体の分子構造を、ＰＲＭの濃度と組み合わせ、この濃度は、存在するＰＲＭの全ての異性体の存在を反映している。
【０１６３】
分子エディター又は分子描画ソフトウェアプログラム［ＣｈｅｍＤｒａｗ（ＣａｍｂｒｉｄｇｅＳｏｆｔ／ＰｅｒｋｉｎＥｌｍｅｒ  Ｉｎｃ．（Ｗａｌｔｈａｍ，Ｍａｓｓａｃｈｕｓｅｔｔｓ，Ｕ．Ｓ．Ａ．））など］を使用し、各々のＰＲＭを表す二次元分子構造を再現する。分子構造を、非連結のフラグメント（例えば、対イオンのない単一構造）のない中性種（四級窒素原子は許される）として表す必要がある。以下に記載するｗｉｎＭｏｌｃｏｎｎプログラムは、適切な数の水素原子を加えることによって、任意の脱プロトン化された官能基を中性形態に変換することができ、対イオンを不要なものとする。
【０１６４】
各々のＰＲＭに関して、分子描画ソフトウェアを使用して、ＰＲＭの分子構造が記述されるファイルを作成する。その後、各々のＰＲＭの様々な分子記述子を誘導するために、ＰＲＭの分子構造を記述するファイル（複数可）を、コンピュータソフトウェアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ（Ｑｕｉｎｃｙ，Ｍａｓｓａｃｈｕｓｅｔｔｓ，Ｕ．Ｓ．Ａ．）、ｗｗｗ．ｍｏｌｃｏｎｎ．ｃｏｍ）に送る。このように、ｗｉｎＭｏｌｃｏｎｎソフトウェアプログラムは、許容可能な選択枝である構造の表示方法及びファイル形式を記述する。これらの選択枝には、ＭＡＣＣＳ  ＳＤＦ形式のファイル（すなわち、構造データファイル）、又は、単純なテキストファイルの範囲内で一般に使用され、多くの場合「．ｓｍｉ」若しくは「．ｔｘｔ」のファイル名拡張子を伴うＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造線表示）のいずれかが含まれる。ＳＤＦファイルは、複数行のレコードの形式で各分子構造を表し、一方、ＳＭＩＬＥＳ構造のためのシンタックス（syntax）は、余白がない単一行のテキストである。構造名又は識別子は、それを同じ行にＳＭＩＬＥＳストリングに続いてスペースを開けて含めることによってＳＭＩＬＥＳストリングに付加することができる、例：Ｃ１＝ＣＣ＝ＣＣ＝Ｃ１ベンゼン。
【０１６５】
ｗｉｎＭｏｌｃｏｎｎソフトウェアプログラムを使用し、各々のＰＲＭに関する多くの分子記述子を作成し、次いで、これを表形式で出力する。ｗｉｎＭｏｌｃｏｎｎによって得られる具体的な分子記述子は、その後、多様なコンピュータモデル試験方法の入力（すなわち数学的方程式の変数項として）として使用されて、各々のＰＲＭについて、値、例えば：飽和蒸気圧（ＶＰ）；沸点（ＢＰ）；オクタノール／水分配係数の対数（ｌｏｇＰ）；臭気検出閾値（ＯＤＴ）悪臭低減値（ＭＯＲＶ）；及び／又はユニバーサル悪臭低減値（Ｕｎｉｖｅｒｓａｌ  ＭＯＲＶ）を計算する。このモデルの試験法の計算に使用される分子記述子のラベルは、ｗｉｎＭｏｌｃｏｎｎプログラムによって報告されるのと同じラベルであり、その記載及び定義は、ｗｉｎＭｏｌｃｏｎｎの説明書にてリストを見つけることができる。以下は、ｗｉｎＭｏｌｃｏｎｎソフトウェアプログラムの実行方法、及び組成物中の各々のＰＲＭに関して必要な分子構造記述子の作成方法の包括的な記載である。
【０１６６】
ｗｉｎＭｏｌｃｏｎｎを使用する分子構造記述子の計量：
１）１つ以上の香料成分の分子構造を、ＳＤＦファイルとも呼ばれるＭＡＣＣＳ構造データファイルの形態で、又はＳＭＩＬＥＳファイルとしてアセンブリングする。
２）バージョン１．０．１．３のｗｉｎＭｏｌｃｏｎｎプログラムを使用し、適切なコンピュータで実行し、上述のＳＤＦファイル又はＳＭＩＬＥＳファイルを入力として使用し、このプログラムから入手可能な分子記述子の全てのものを計算する。
ａ．ｗｉｎＭｏｌｃｏｎｎの出力は、ＡＳＣＩＩテキストファイルの形態であり、典型的には、スペース区切りされており、入力ファイルの各構造に関して、第１の列に構造識別子が入っており、残りの列にそれぞれの分子記述子が入っている。
３）スプレッドシートソフトウェアプログラム又はある種の他の適切な技術を使用し、テキストファイルをパースし列にする。分子記述子のラベルは、得られた表の第１の行に見出される。
４）分子記述子のラベルによって特定され、各モデルに必要な入力に対応する、記述子の列を見つけ出し、抽出する。
ａ．なお、ｗｉｎＭｏｌｃｏｎｎ分子記述子のラベルは、ケースセンシティブであることを注記しておく。
【０１６７】
Ｂ．飽和蒸気圧（ＶＰ）を決定するための試験方法
試験する芳香混合物中の各ＰＲＭについて、飽和蒸気圧（ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（Ｔｏｒｏｎｔｏ、Ｃａｎａｄａ）から入手可能なＶＰ  Ｃｏｍｐｕｔａｔｉｏｎａｌ  Ｍｏｄｅｌ、バージョン１４．０２（Ｌｉｎｕｘ（登録商標））を用いて計算され、ｔｏｒｒの単位で表される２５℃でのＶＰ値が得られる。ＡＣＤ／実験室の蒸気圧モデルは、ＡＣＤ／実験室モデルの装置の一部である。
【０１６８】
Ｃ．オクタノール／水分配係数の対数（ｌｏｇＰ）を決定するための試験方法
試験する香料混合物中の各ＰＲＭについて、オクタノール／水の分配係数のｌｏｇ値（ｌｏｇＰ）を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（Ｔｏｒｏｎｔｏ、Ｃａｎａｄａ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ（登録商標））を用いて計算され、無単位のｌｏｇＰ値が得られる。ＡＣＤ／ＬａｂｓのＣｏｎｓｅｎｓｕｓ  ｌｏｇＰ  Ｃｏｍｐｕｔａｔｉｏｎａｌ  Ｍｏｄｅｌは、ＡＣＤ／Ｌａｂｓモデルスイートの一部である。
【実施例】
【０１６９】
以下に提供される実施例は、事実上例示を意図するものであり、限定することを意図するものではない。
【０１７０】
実施例１．噴射剤選択
以下の実施例では、１０重量％のエステル第四級アンモニウム化合物及び９重量％のシリコーンを含む布地処理組成物（それぞれ当該組成物の重量に対して）が、加圧エアゾールボトル内に提供される。各ボトルは、それぞれ０．０２５インチの直径を有する２つの開口を有する弁を含む。
【０１７１】
各ボトルは、表１に提供されるように、噴射剤の種類及び／又はレベルによって変化する。以下は、列挙された噴射剤のそれぞれの鍵である。
Ａ３１：炭化水素（イソブタン）
Ａ４６：炭化水素（イソブタン及びプロパンの混合物）
１５２Ａ：ヒドロフルオロカーボン（１，１−ジフルオロエタン）
１２３４ｚｅ：ハイドロフルオロオレフィン（１，３，３，３−テトラフルオロプロペン）
【０１７２】
およそ等量の泡が各ボトルから分配され、泡の密度が直ちに決定され、結果を表１に示す。
【０１７３】
【表１】
2021526189.tif 000004
【０１７４】
加えて、（１）窒素及び（２）Ａ３１とイソペンタンとの組み合わせを噴射剤として使用したが、得られた組成物は著しく発泡しなかった。
【０１７５】
更に、１２３４ｚｅ噴射剤は、好ましい美観を備えた泡を提供したことに注意されたい。すなわち、得られた泡は、心地よい「光沢」を表示した。１５２Ａ噴射剤から製造された泡には輝きがあったが、１２３４ｚｅ泡よりも輝きが少なく、Ａ３１及びＡ５６噴射剤で製造された泡は大きな輝きを示さなかった。
【０１７６】
実施例２．噴射剤レベル
以下の製品を調製し、分配し、組成物を分配した直後の泡密度について測定する。活性レベルは、噴射剤を添加する前の液体組成物中の活性物質の量を反映する。噴射剤の種類は、１２３４ｚｅである。活性レベル及び泡密度に基づいて、９０ｍＬの泡当たりに送達されるＦＣＡの量が決定される。結果を表２に示す。
【０１７７】
【表２】
2021526189.tif 000005
【０１７８】
実施例３．弁選択
一定期間与えられた流量及び送達される活性物質の量に対する弁選択の効果を示すために、１９重量％のＦＣＡ（１０％エステル第四級アンモニウム、９％シリコーン）を含む布地処理組成物が調製される。組成物は、３つの加圧ボトル内に包装され、噴射剤の量及び種類（処理組成物の重量で３重量％の１２３４ｚｅ噴射剤）は、それぞれについて同じである。しかしながら、各ボトルは、表３に提供されるような異なる弁を含む。布地処理組成物は、各ボトルから分配され、密度及び流量が決定される。結果を表３に示す。泡の仮定的なおおよその体積（流量ｘ５秒×１０００／密度）及び５秒の噴霧で送達されるＦＣＡの量（流量ｘ５秒×１９％）；ＳＡＦの％変化も、表３に示されている。５秒は、消費者が許容できると考えられる噴霧時間として選択される。
【０１７９】
【表３】
2021526189.tif 000006
【０１８０】
表３に示すように、噴射剤が一定に保持され、弁タイプが変化すると、分配された泡の密度は、比較的同じままである。しかしながら、流量は変化し、これは泡の体積に影響を及ぼし、所定の期間にＦＣＡを送達する。
【０１８１】
実施例４．泡の退色時間
本開示による組成物の泡崩壊特性を実証するために、加圧エアロゾルは、約９．５％のエステル第四級ＦＣＡ（噴射剤の添加前）及び約１０％の噴射剤（１０％のＨＦＯ）を含有する布地処理組成物で調製することができる。約１００ｍＬの組成物を泡として、体積目盛線を有する１５０ｍＬガラスビーカーに分配する。泡のおおよその体積を１０分間にわたって記録する。記録された分配された組成物の質量及び各時間間隔における密度が決定される。結果を表４に示す。
【０１８２】
【表４】
2021526189.tif 000007
【０１８３】
表４に示すように、分配された組成物は、良好な泡崩壊を示し、６分（１００ｍＬ〜１０ｍＬ）のすぐに、およそ１０ｘの体積減少を経験する。泡の気泡は、１０分で依然として可視であったが、最後の３回の時間間隔にわたって一定の体積測定によって示されるように、崩壊速度は遅くなった。
【０１８４】
実施例５．泡の崩壊性、噴射剤レベル
泡の崩壊量に対する噴射剤濃度の効果を示すために、表５に示すように、それぞれ異なるレベルの噴射剤を有する３つの布地処理組成物（１９％活性物質：１０％エステル第四級アンモニウム、９％シリコーン）を調製する。各ボトルから試料を分配すると、時間ゼロで第１の密度が取られ、第２の密度は約１０分後に決定される。第１の密度及びＦＣＡの量（１９重量％）に基づいて、最初に分配された泡の９０ｍＬ試料中に送達されるＦＣＡの近似量が決定される。
【０１８５】
【表５】
2021526189.tif 000008
【０１８６】
表５のデータによって示されるように、送達される泡の初期密度は、噴射剤レベルに従って変化し、すなわち、より高いレベルの噴射剤は、より低い密度を有する泡を提供する。しかしながら、１０分後、試験した泡のそれぞれは、約０．９ｇ／ｍＬの密度の水中付近密度及び液体形態の布地処理組成物のおおよその密度（例えば、泡ではない場合）に崩壊した。これはまた、市販の液体布地増強剤のおおよその密度である。
【０１８７】
実施例６．泡脱出剤、活性レベル
活性レベル（例えば、シリコーン）と泡崩壊との間の関係を示すために、定性的研究が行われる。布地処理組成物を含有する加圧プラスチックボトルを調製する。布地処理組成物は、１０重量％のエステル第四級アンモニウム化合物と、噴射剤（ハイドロフルオロオレフィン）と、以下の表６に近似される様々な量のシリコーンと、を含む。約等量の組成物が、３つのボトルのそれぞれからペーパータオルに分配され、得られた泡試料は、泡の崩壊のために観察される。試料は、どの試料が液体様の稠度に崩壊する（例えば、残っている場合には、気泡が残っていないペーパータオルによって吸収される）。
【０１８８】
結果を表６に示し、ここでは、１＝の泡が崩壊し、３＝が泡の崩壊を遅延させる。
【０１８９】
【表６】
2021526189.tif 000009
【０１９０】
表６に示すように、シリコーンの量は、噴射剤の量が一定に保持されたときに崩壊速度に影響を及ぼし得る。一般に、シリコーンのレベルが高くなるほど、泡が崩壊するほど速くなる。シリコーンは、特により高い濃度で泡崩壊剤として作用すると考えられる。
【０１９１】
実施例７．付着助剤の効果
泡の崩壊及び分配効率に対する付着助剤の効果を試験するために、付着助剤としてカチオン性ポリマーを含む２つの布地処理配合物が調製される。一般製剤は、以下の表７Ａに提供され、濃度は、噴射剤及び付着助剤の添加前に組成物の重量パーセントとして提供される。製剤１は、標的布地に良好な性能を提供するが、配合物２は、付着助剤の存在に起因して更により良好な性能を有することが期待される（全てが同等である）。
【０１９２】
【表７】
2021526189.tif 000010
１Ｐｏｌｙｑｕａｔ  ２２（Ｌｕｂｒｉｚｏｌから入手可能なＭｅｒｑｕａｔ  ２８０）
【０１９３】
Ａ．初期泡と泡退色との比較
初期泡及び相対泡の崩壊を比較するために、２つの組成物は、ベンチトップ上に同じレベルの噴射剤を有する加圧ボトルから約等量で分配される。
【０１９４】
図４は、最初に分配される２つの組成物のおよそ等量の写真を示す。左の泡１は配合物１の組成物であり、右の泡２は、配合２に係る組成物である。この写真は、組成物を実験室ベンチトップ４に分配した後、タイマー３によって時限されるように、約１０秒で撮影される。図４に示すように、配合物１による泡１は、比較的低い高さを有し、広げられているが、配合２による泡２は、より高い高さを維持し、よりコンパクトである。
【０１９５】
図５は、約１０分後の同じ泡１、２の写真を示す。配合１による泡１は更に広げられ、気泡がより大きく見え、ガスの損失及び泡の崩壊を示す。一方、配合２による泡２は、その形状及び高さを実質的に維持している。製剤１による泡１は、１０分後に比較的液体様であることが観察される。
【０１９６】
Ｂ．分配効率
単一サイクルの分配効率試験は、両方の組成物で実施される。別個の試験脚部では、承認する。配合物１及び２の２０ｇは、従来の上部ローダー機（Ｋｅｎｍｏｒｅ  ６００シリーズ）のセンターポストディスペンサーに泡として分配される。「通常の」設定（１２分の洗浄サイクル、９０°Ｆで１７ガロンの洗浄水、２分間のスピン、次いですすぎサイクル）で単一サイクルを実行した後、ディスペンサーは、存在する元の量と比較して、機械に分配される組成物の量について分析される。結果を表７Ｂに示す。
【０１９７】
【表８】
2021526189.tif 000011
【０１９８】
表７Ｂに示すように、比較的高濃度の付着助剤を含む製剤２は、より低い分配効率（およその程度）をもたらす。配合物１と比較して２５％（約２５％）９０〜９５％）。これは、配合物２が、すすぎサイクル中にドラム内に流れることを意味し、ここでは、標的布地を処理することができることを意味する。理論に束縛されるものではないが、製剤１は、製剤２よりも迅速に崩壊すると考えられる（図の考察を参照されたい）。上記の１及び２）は、機械の洗浄サイクル中に、折り畳み組成物が後続のすすぎサイクル中により容易にドラムに流れ込むことを可能にする。注出効率は、配合物１の分配効率は、典型的には従来の液体布地増強剤製品と関連する分配効率とは異なるものではない。
【０１９９】
Ｃ．相安定性
観察時、製剤１は、製剤２よりも良好な相安定性を有する。製剤１は比較的均質なままであり、配合物２相は、組成物を作製する数時間以内に、その上で分離する。
【０２００】
実施例８．ＦＣＡレベル対分配効率
活性レベルが分配効率を有する効果を試験するために、様々なレベルのシリコーンを有する組成物を用いて単サイクル分配効率試験を実施する。別個の試験脚部では、承認する。約１０重量％のエステル第四級アンモニウム化合物、様々なレベルのシリコーン（３重量％、６重量％、９重量％）、及び同じ噴射剤レベル（４％のＨＦＯ）を有する布地処理組成物約２１〜２２ｇを、従来の上部投入式機（Ｋｅｎｍｏｒｅ  ６００シリーズ）のセンターポストディスペンサーに泡として分配する。「通常」設定（１２分、１７ガロンの洗浄水、９０Ｆ）で単一サイクルを実行した後、ディスペンサーは、存在する元の量と比較して組成物の分配のために分析される。結果を表８に示す。
【０２０１】
【表９】
2021526189.tif 000012
【０２０２】
表８に示すように、活性成分（すなわち、シリコーン）の量を増加させることは、試験した組成物の分配効率に大きく影響を与えない。例えば、シリコーンの量（３％〜９％）をトリプレニングすると、分配効率（８５．７％ｖｓ．８５．０％）の百分率点差未満をもたらし、これは試験のエラーマージン内にあると考えられる。
【０２０３】
この試験の結果は、表Ａに示される結果と概ね一致すると考えられ、これは、同じ噴射剤レベルを有する組成物が、シリコーンレベルの違いにもかかわらず、比較的同様の程度の泡崩壊度を呈することを示す。前述のように、十分に崩壊する泡は、自動洗濯機のすすぎサイクル中により効率的に分配されると考えられる。
【０２０４】
実施例９．例示的な配合
以下の表９は、本開示による布地処理組成物の代表的な配合を示す。提供される量は、別途記載のない限り、列挙された成分の重量パーセントである。成分（エステルクワット、もしあれば、水など）を提供された濃度で混合した後、噴射剤を提供されたレベルで添加し、得られた混合物を容器に供給した。組成物を分配し、分配直後に密度を測定した。
【０２０５】
【表１０】
2021526189.tif 000013
１２５％活性物質として提供される
２９％活性物質として提供
３メラミンホルムアルデヒドの壁材と、ポリビニルホルムアミドを含む付着助剤コーティングと、を含む、コア−シェル型カプセル
４Ｒｈｅｏｖｉｓ  ＣＤＥ（ＢＡＳＦ製）
５Ｌｕｖｉｑｕａｔ  ＰＱ−１１（ＢＡＳＦ製）
６Ｍｅｒｑｕａｔ  ２８０（Ｌｕｂｒｉｚｏｌ製）
７ＨＦＯ噴射剤（１２３４ｚｅ）
【０２０６】
本明細書にて開示された寸法及び値は、列挙された正確な数値に厳密に限定されるものとして理解されるべきではない。その代わりに、特に指示がない限り、そのような各寸法は、列挙された値とその値を囲む機能的に同等な範囲との両方を意味することが意図されている。例えば、「４０ｍｍ」と開示された寸法は、「約４０ｍｍ」を意味することが意図される。
【０２０７】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【０２０８】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【図１】
2021526189.tif 000014
【図２】
2021526189.tif 000015
【図３】
2021526189.tif 000016
【図４】
2021526189.tif 000017
【図５】
2021526189.tif 000018
【国際調査報告】
2021526189.tif 000019
2021526189.tif 000020
2021526189.tif 000021